(57)【要約】【課題】  電子ペーパー等の表示媒体の閲覧状況を検知する技術を提供する。【解決手段】  電子ペーパーユニット１００には、圧力を測定する圧力センサ２００Ｐと、光量を測定する光センサ２００Ｌとが設けられている。制御装置３００の制御部３１０は、ワイヤレスセンサ２００から電波信号を受信すると、その電波信号に基づいて、その電子ペーパーがどのように扱われているか（例えば手で把持されているか、机の上に置かれているか、等）を判定し、その判定内容によって、電子ペーパーユニット１００の閲覧者または電子ペーパーユニット１００に表示されている電子データの管理者に対して有用な制御を行う。【選択図】      図３
2006268527.tif 000002
【特許請求の範囲】
【請求項１】
シート状の表示媒体に設けられ、所定の電波信号が供給されると、これをエネルギー源として周囲の物理量を反映した属性と識別情報を有する電波信号を生成して出力するワイヤレス測定手段を複数有するシート状の表示媒体に対して制御を行う表示媒体制御装置であって、
前記複数のワイヤレス測定手段に所定の電波信号を送信する送信手段と、
前記複数のワイヤレス測定手段から出力される電波信号を受信する受信手段と、
前記複数のワイヤレス測定手段の位置と識別情報との対応関係を各々記憶した記憶手段と、
前記受信手段によって受信された各々の電波信号から前記物理量を算出する算出手段と、
前記算出手段によって算出された物理量の分布を前記識別情報に基づき前記記憶手段の記憶内容を参照して認識する認識手段と、
前記認識手段によって認識された物理量の分布に基づいて前記表示媒体が把持されているか否かを判定する判定手段と
を備えることを特徴とする表示媒体制御装置。
【請求項２】
前記表示媒体の周囲の物理量の分布を示す照合データを記憶する記憶手段を備え、
前記判定手段は、前記認識手段によって認識された物理量の分布と、前記記憶手段に記憶された照合データが示す物理量の分布とを照合し、その一致度に基づいて前記表示媒体が把持されているか否かを判定する
ことを特徴とする請求項１記載の表示媒体制御装置。
【請求項３】
前記算出手段は、前記受信手段が受信した電波信号に基づいて前記表示媒体が複数あるか否かを認識し、複数の表示媒体が認識された場合には、各表示媒体毎に識別して前記物理量を算出し、
前記認識手段は、前記算出手段によって算出された物理量の分布を前記識別情報に基づき前記記憶手段の記憶内容を参照して前記表示媒体毎に認識し、
前記判定手段は前記認識手段によって認識された前記表示媒体毎の物理量の分布に基づいて、前記各表示媒体が重ねられた状態で把持されているか否かを判定するとともに最上部に位置している表示媒体を特定することを特徴とする請求項１に記載の表示媒体制御装置。
【請求項４】
前記判定手段は前記認識手段によって認識された前記表示媒体毎の物理量の分布に基づいて、前記各表示媒体が重ねられた状態で把持されているか否かを判定するとともに前記各表示媒体について重ね順位を特定することを特徴とする請求項３に記載の表示媒体制御装置。
【請求項５】
前記判定手段によって前記表示媒体が把持されていると判定された場合に、前記表示媒体で表示される所定の情報を、前記表示媒体に対して送信する送信手段を備えることを特徴とする請求項１乃至４のいずれかに記載の表示媒体制御装置。
【請求項６】
前記判定手段によって前記表示媒体が把持されていると判定された場合に、所定の情報を出力する出力手段を備えることを特徴とする請求項１乃至４のいずれかに記載の表示媒体制御装置。
【請求項７】
前記判定手段によって前記表示媒体が重ねられた状態で把持されていると判定された場合に、表示順位を有する複数の表示情報を、その表示情報の表示順位と対応する重ね順位が特定された表示媒体に対して送信する送信手段を備えることを特徴とする請求項４記載の表示媒体制御装置。
【請求項８】
前記表示媒体を識別する媒体識別情報と、通知先情報とを対応付けて記憶する通知先情報記憶手段と、
前記判定手段によって把持されていないと判定された表示媒体について、その表示媒体の媒体識別情報と対応する前記通知先情報を前記通知先情報記憶手段から検索し、検索された通知先情報が示す装置に対して、前記媒体識別情報を含む通知情報を送信する送信手段と
を備えることを特徴とする請求項１乃至４のいずれかに記載の表示媒体制御装置。
【請求項９】
前記表示媒体は、表示情報を送信する表示情報送信手段を備え、
前記表示媒体制御装置は、
前記ワイヤレス測定手段から出力される電波信号に基づいて、前記表示媒体までの距離を特定する距離特定手段と、
前記表示媒体から送信される表示情報を受信する表示情報受信手段と、
前記判定手段によって前記表示媒体が把持されていると判定され、かつ、前記距離特定手段によって特定された距離が所定値以下である場合に、前記表示情報受信手段によって前記表示媒体から前記表示情報を受信し、受信した表示情報に対して所定の処理を実行する処理実行手段と
を備えることを特徴とする請求項１乃至４のいずれかに記載の表示媒体制御装置。
【請求項１０】
前記ワイヤレス測定手段から出力される電波信号に基づいて、前記表示媒体までの距離を特定する距離特定手段と、
前記判定手段によって前記表示媒体が把持されていると判定され、かつ、前記距離特定手段によって特定された距離が所定値以下である場合に所定の処理を実行する処理実行手段と
を備えることを特徴とする請求項１乃至４のいずれかに記載の表示媒体制御装置。
【請求項１１】
シート状の表示媒体に設けられ、所定の電波信号が供給されると、これをエネルギー源として送信用の電波信号を生成して出力するワイヤレス測定手段を複数有するシート状の表示媒体に対して制御を行う表示媒体制御装置であって、
前記複数のワイヤレス測定手段に所定の電波信号を送信する送信手段と、
前記表示媒体を載置可能な載置部と、
前記載置部に設けられ、前記複数のワイヤレス測定手段から出力される電波信号を受信する受信手段と、
前記受信手段によって受信された各々の電波信号から前記表示媒体と前記受信手段との距離を算出する算出手段と、
前記算出手段によって算出された距離に基づいて、前記載置部材に対する前記表示媒体の位置を特定する特定手段と、
前記特定手段によって特定された位置に基づいて、前記表示媒体が前記載置部材に載置されているか否かを判定する判定手段と、
前記判定手段によって載置されていると判定された場合は、前記表示媒体に対して予め定められた制御を行う制御手段と
を備えることを特徴とする表示媒体制御装置。
【請求項１２】
前記制御手段は、前記判定手段によって載置されていると判定された場合に、前記表示媒体で表示される所定の情報を、前記表示媒体に対して送信する送信手段を備えることを特徴とする請求項１１記載の表示媒体制御装置。
【請求項１３】
前記制御手段は、前記判定手段によって載置されていると判定された場合に、所定の情報を出力する出力手段を備えることを特徴とする請求項１１記載の表示媒体制御装置。
【請求項１４】
前記表示媒体を識別する媒体識別情報と、前記判定手段の判定結果とを対応付けて各々記憶する判定結果記憶手段
を備えることを特徴とする請求項１乃至１３のいずれかに記載の表示媒体制御装置。
【請求項１５】
前記表示媒体を識別する媒体識別情報と、前記判定手段の判定結果とを対応付けて所定の装置に送信する送信手段
を備えることを特徴とする請求項１乃至１３のいずれかに記載の表示媒体制御装置。
【請求項１６】
前記表示媒体を識別する媒体識別情報と、通知先情報とを対応付けて記憶する通知先情報記憶手段と、
前記判定手段によって前記載置部材に載置されていないと判定された表示媒体について、その表示媒体の媒体識別情報と対応する前記通知先情報を前記通知先情報記憶手段から検索し、検索された通知先情報が示す装置に対して、前記媒体識別情報を含む通知情報を送信する送信手段と
を備えることを特徴とする請求項１１記載の表示媒体制御装置。
【請求項１７】
シート状の表示媒体に設けられ、所定の電波信号が供給されると、これをエネルギー源として周囲の物理量を反映した属性と識別情報を有する電波信号を生成して出力するワイヤレス測定手段を複数有するとともに、表示情報を送信する表示情報送信手段を有するシート状の表示媒体に対して制御を行う表示媒体制御装置であって、
前記複数のワイヤレス測定手段に所定の電波信号を送信する送信手段と、
前記複数のワイヤレス測定手段から出力される電波信号を受信する受信手段と、
前記複数のワイヤレス測定手段の位置と識別情報との対応関係を各々記憶した記憶手段と、
前記表示媒体から送信される表示情報を受信する表示情報受信手段と、
前記表示情報受信手段によって受信された表示情報を記憶する表示情報記憶手段と、
前記受信手段によって受信された各々の電波信号から前記物理量を算出する算出手段と、
前記算出手段によって算出された物理量の分布を前記識別情報に基づき前記記憶手段の記憶内容を参照して認識する認識手段と、
ユーザが前記表示媒体に物理量の変化を与えることによって該表示媒体の所定の領域を指定した場合に、前記認識手段によって認識された物理量の分布の変化に基づいて、前記領域を検出する領域検出手段と、
前記領域検出手段によって前記領域が検出された場合に、前記表示情報受信手段によって前記表示媒体から表示情報を受信し、受信した表示情報のうちの前記領域と対応するものを前記表示情報記憶手段に記憶させる表示情報記憶制御手段と
を備えることを特徴とする表示媒体制御装置。
【請求項１８】
前記物理量は、圧力、温度、光量の少なくともいずれかひとつであることを特徴とする請求項１乃至１７のいずれかに記載の表示媒体制御装置。
【請求項１９】
表示情報を目視可能な状態にして表示するシート状の表示媒体と、前記表示媒体に対して制御を行う表示媒体制御装置を備える表示媒体制御システムであって、
前記表示媒体は、
所定の電波信号が供給されると、これをエネルギー源として周囲の物理量を反映した属性と識別情報を有する電波信号を生成して出力するワイヤレス測定手段を複数備え、
前記表示媒体制御装置は、
前記複数のワイヤレス測定手段に所定の電波信号を送信する送信手段と、
前記複数のワイヤレス測定手段から出力される電波信号を受信する受信手段と、
前記複数のワイヤレス測定手段の位置と識別情報との対応関係を各々記憶した記憶手段と、
前記受信手段によって受信された各々の電波信号から前記物理量を算出する算出手段と、
前記算出手段によって算出された物理量の分布を前記識別情報に基づき前記記憶手段の記憶内容を参照して認識する認識手段と、
前記認識手段によって認識された物理量の分布に基づいて前記表示媒体が把持されているか否かを判定する判定手段と
を備えることを特徴とする表示媒体制御システム。
【請求項２０】
前記表示媒体は、電子ペーパーであることを特徴とする請求項１９記載の表示媒体制御システム。
【請求項２１】
前記ワイヤレス測定手段は、電波信号を受信して機械振動を発生させる励振部と、
前記励振部が発生した機械振動が伝達されて弾性表面波を発生するとともに、前記弾性表面波の属性が前記物理量によって変化する振動媒体部と、
前記弾性表面波を電気信号に変換して電波信号として出力する送信部と
を備えることを特徴とする請求項１９記載の表示媒体制御システム。
【請求項２２】
シート状の表示媒体に設けられ、所定の電波信号が供給されると、これをエネルギー源として周囲の物理量を反映した属性と識別情報を有する電波信号を生成して出力するワイヤレス測定手段を複数有するシート状の表示媒体に対して制御を行う表示媒体制御装置の表示媒体制御方法であって、
前記複数のワイヤレス測定手段に所定の電波信号を送信するステップと、
前記複数のワイヤレス測定手段から出力される電波信号を受信するステップと、
受信された各々の電波信号から前記物理量を算出するステップと、
算出された物理量の分布を、前記識別情報に基づき、前記複数のワイヤレス測定手段の位置と識別情報との対応関係を各々記憶した記憶手段の記憶内容を参照して認識するステップと、
認識された物理量の分布に基づいて前記表示媒体が把持されているか否かを判定するステップと
を備えることを特徴とする表示媒体制御方法。
【発明の詳細な説明】
【技術分野】
【０００１】
本発明は、電子ペーパー等の表示媒体の閲覧状況を検知するための技術に関する。
【背景技術】
【０００２】
近年、紙の扱いやすさと電子表示の便利さを併せ持った表示媒体として、電子ペーパーと呼ばれる画像表示機能を持った表示媒体が注目されている。この電子ペーパーは、表示内容を消去して何回でも書き換えることができ、表示された内容は無電源で長時間にわたり維持できるという特徴を有する。例えば特許文献１に記載されている光書き込み型の電子ペーパーでは、表示装置などで画像等を表示する際に表示光を用いて情報を繰り返し書き込むことができ、一旦書き込んだ情報は消去または新たな情報が書き込まれない限り半永久的に維持される。同様に、特許文献２に記載される白黒粒子を用いた表示装置でも、一旦書き込んだ情報は消去または新たな情報が書き込まれない限り半永久的に維持される。従って、電子ペーパーとはメモリ性があり繰り返し書き換え可能な表示媒体と定義する。
【特許文献１】特開２００２−９０７１６号公報
【特許文献２】特開２００１−３１２２２５号公報
【発明の開示】
【発明が解決しようとする課題】
【０００３】
ところで、電子ペーパーの閲覧者は、電子ペーパーを手で把持したり、あるいは机の上に置いたりして電子ペーパーを閲覧する。また、複数の電子ペーパーを重ねて把持し、重ねた電子ペーパーを順番に閲覧する場合もある。
【０００４】
電子ペーパーが閲覧されているか否かを判定したり、複数の電子ペーパーが把持されている場合にそのうちのどの電子ペーパーが閲覧されているかを判定したりすることによって、その閲覧状況に応じて各種のサービスを提供することができれば便利である。例えば秘匿性の高い情報が表示されている電子ペーパーについて、閲覧する権限をもたない者がその電子ペーパーを把持して閲覧しようとした場合に、表示されている情報を消去するようにすれば、閲覧する権限をもたない者はその情報を確認することができず、情報の漏洩を防止することができる。また他の例としては、把持されている電子ペーパーに対して電子メール等のデータを送信するようにすれば、閲覧者が把持している電子ペーパーに自動的に電子メール等を表示させることができ、ユーザの利便性を高めることが可能となる。
【０００５】
電子ペーパーの閲覧状況を判定するために、例えば電子ペーパーの閲覧者をビデオ撮影し、そのビデオ画像から特徴抽出を行うことによって判定するという方法が考えられるが、この場合、この方法を用いるシステムの規模が大きいほどその処理時間が多くかかってしまい、サービスを提供するのに間に合わないという問題が懸念される。
【０００６】
本発明は上述した背景に鑑みてなされたものであり、その目的は、電子ペーパー等の表示媒体の閲覧状況を検知する技術を提供すること、またその検知された内容に応じて各種の制御を行う技術を提供することである。
【課題を解決するための手段】
【０００７】
上記課題を達成するために、本発明は、シート状の表示媒体に設けられ、所定の電波信号が供給されると、これをエネルギー源として周囲の物理量を反映した属性と識別情報を有する電波信号を生成して出力するワイヤレス測定手段を複数有するシート状の表示媒体に対して制御を行う表示媒体制御装置であって、前記複数のワイヤレス測定手段に所定の電波信号を送信する送信手段と、前記複数のワイヤレス測定手段から出力される電波信号を受信する受信手段と、前記複数のワイヤレス測定手段の位置と識別情報との対応関係を各々記憶した記憶手段と、前記受信手段によって受信された各々の電波信号から前記物理量を算出する算出手段と、前記算出手段によって算出された物理量の分布を前記識別情報に基づき前記記憶手段の記憶内容を参照して認識する認識手段と、前記認識手段によって認識された物理量の分布に基づいて前記表示媒体が把持されているか否かを判定する判定手段とを備えることを特徴とする表示媒体制御装置を提供する。
なお、本発明における「シート状の表示媒体」とは、カード状の表示媒体も含む。
【０００８】
本発明の好ましい態様においては、前記表示媒体の周囲の物理量の分布を示す照合データを記憶する記憶手段を備え、前記判定手段は、前記認識手段によって認識された物理量の分布と、前記記憶手段に記憶された照合データが示す物理量の分布とを照合し、その一致度に基づいて前記表示媒体が把持されているか否かを判定することを特徴とする。
【０００９】
また、本発明の別の好ましい態様においては、前記算出手段は、前記受信手段が受信した電波信号に基づいて前記表示媒体が複数あるか否かを認識し、複数の表示媒体が認識された場合には、各表示媒体毎に識別して前記物理量を算出し、前記認識手段は、前記算出手段によって算出された物理量の分布を前記識別情報に基づき前記記憶手段の記憶内容を参照して前記表示媒体毎に認識し、前記判定手段は前記認識手段によって認識された前記表示媒体毎の物理量の分布に基づいて、前記各表示媒体が重ねられた状態で把持されているか否かを判定するとともに最上部に位置している表示媒体を特定することを特徴とする。
本発明の更に好ましい態様においては、前記判定手段は前記認識手段によって認識された前記表示媒体毎の物理量の分布に基づいて、前記各表示媒体が重ねられた状態で把持されているか否かを判定するとともに前記各表示媒体について重ね順位を特定することを特徴とする。
【００１０】
また、本発明の別の好ましい態様においては、前記判定手段によって前記表示媒体が把持されていると判定された場合に、前記表示媒体で表示される所定の情報を、前記表示媒体に対して送信する送信手段を備えることを特徴とする。
また、本発明の別の好ましい態様においては、前記判定手段によって前記表示媒体が把持されていると判定された場合に、所定の情報を出力する出力手段を備えることを特徴とする。
【００１１】
また、本発明の別の好ましい態様においては、前記判定手段によって前記表示媒体が重ねられた状態で把持されていると判定された場合に、表示順位を有する複数の表示情報を、その表示情報の表示順位と対応する重ね順位が特定された表示媒体に対して送信する送信手段を備えることを特徴とする。
【００１２】
また、本発明の別の好ましい態様においては、前記表示媒体を識別する媒体識別情報と、通知先情報とを対応付けて記憶する通知先情報記憶手段と、前記判定手段によって把持されていないと判定された表示媒体について、その表示媒体の媒体識別情報と対応する前記通知先情報を前記通知先情報記憶手段から検索し、検索された通知先情報が示す装置に対して、前記媒体識別情報を含む通知情報を送信する送信手段とを備えることを特徴とする。
また、本発明の別の好ましい態様においては、前記表示媒体は、表示情報を送信する表示情報送信手段を備え、前記表示媒体制御装置は、前記ワイヤレス測定手段から出力される電波信号に基づいて、前記表示媒体までの距離を特定する距離特定手段と、前記表示媒体から送信される表示情報を受信する表示情報受信手段と、前記判定手段によって前記表示媒体が把持されていると判定され、かつ、前記距離特定手段によって特定された距離が所定値以下である場合に、前記表示情報受信手段によって前記表示媒体から前記表示情報を受信し、受信した表示情報に対して所定の処理を実行する処理実行手段とを備えることを特徴とする。
また、本発明の別の好ましい態様においては、前記ワイヤレス測定手段から出力される電波信号に基づいて、前記表示媒体までの距離を特定する距離特定手段と、前記判定手段によって前記表示媒体が把持されていると判定され、かつ、前記距離特定手段によって特定された距離が所定値以下である場合に所定の処理を実行する処理実行手段とを備えることを特徴とする。
【００１３】
また、本発明は、シート状の表示媒体に設けられ、所定の電波信号が供給されると、これをエネルギー源として送信用の電波信号を生成して出力するワイヤレス測定手段を複数有するシート状の表示媒体に対して制御を行う表示媒体制御装置であって、前記複数のワイヤレス測定手段に所定の電波信号を送信する送信手段と、前記表示媒体を載置可能な載置部と、前記載置部に設けられ、前記複数のワイヤレス測定手段から出力される電波信号を受信する受信手段と、前記受信手段によって受信された各々の電波信号から前記表示媒体と前記受信手段との距離を算出する算出手段と、前記算出手段によって算出された距離に基づいて、前記載置部材に対する前記表示媒体の位置を特定する特定手段と、前記特定手段によって特定された位置に基づいて、前記表示媒体が前記載置部材に載置されているか否かを判定する判定手段と、前記判定手段によって載置されていると判定された場合は、前記表示媒体に対して予め定められた制御を行う制御手段とを備えることを特徴とする表示媒体制御装置を提供する。
【００１４】
本発明の好ましい態様においては、前記制御手段は、前記判定手段によって載置されていると判定された場合に、前記表示媒体で表示される所定の情報を、前記表示媒体に対して送信する送信手段を備えることを特徴とする。
また、本発明の別の好ましい態様においては、前記制御手段は、前記判定手段によって載置されていると判定された場合に、所定の情報を出力する出力手段を備えることを特徴とする。
【００１５】
また、本発明の別の好ましい態様においては、前記表示媒体を識別する媒体識別情報と、前記判定手段の判定結果とを対応付けて各々記憶する判定結果記憶手段を備えることを特徴とする。
また、本発明の別の好ましい態様においては、前記表示媒体を識別する媒体識別情報と、前記判定手段の判定結果とを対応付けて所定の装置に送信する送信手段を備えることを特徴とする。
また、本発明の別の好ましい態様においては、前記表示媒体を識別する媒体識別情報と、通知先情報とを対応付けて記憶する通知先情報記憶手段と、前記判定手段によって前記載置部材に載置されていないと判定された表示媒体について、その表示媒体の媒体識別情報と対応する前記通知先情報を前記通知先情報記憶手段から検索し、検索された通知先情報が示す装置に対して、前記媒体識別情報を含む通知情報を送信する送信手段とを備えることを特徴とする。
【００１６】
また、本発明は、シート状の表示媒体に設けられ、所定の電波信号が供給されると、これをエネルギー源として周囲の物理量を反映した属性と識別情報を有する電波信号を生成して出力するワイヤレス測定手段を複数有するとともに、表示情報を送信する表示情報送信手段を有するシート状の表示媒体に対して制御を行う表示媒体制御装置であって、前記複数のワイヤレス測定手段に所定の電波信号を送信する送信手段と、前記複数のワイヤレス測定手段から出力される電波信号を受信する受信手段と、前記複数のワイヤレス測定手段の位置と識別情報との対応関係を各々記憶した記憶手段と、前記表示媒体から送信される表示情報を受信する表示情報受信手段と、前記表示情報受信手段によって受信された表示情報を記憶する表示情報記憶手段と、前記受信手段によって受信された各々の電波信号から前記物理量を算出する算出手段と、前記算出手段によって算出された物理量の分布を前記識別情報に基づき前記記憶手段の記憶内容を参照して認識する認識手段と、ユーザが前記表示媒体に物理量の変化を与えることによって該表示媒体の所定の領域を指定した場合に、前記認識手段によって認識された物理量の分布の変化に基づいて、前記領域を検出する領域検出手段と、前記領域検出手段によって前記領域が検出された場合に、前記表示情報受信手段によって前記表示媒体から表示情報を受信し、受信した表示情報のうちの前記領域と対応するものを前記表示情報記憶手段に記憶させる表示情報記憶制御手段とを備えることを特徴とする表示媒体制御装置を提供する。
また、本発明の好ましい態様においては、前記物理量は、圧力、温度、光量の少なくともいずれかひとつであることを特徴とする。
【００１７】
また、本発明は、表示情報を目視可能な状態にして表示するシート状の表示媒体と、前記表示媒体に対して制御を行う表示媒体制御装置を備える表示媒体制御システムであって、前記表示媒体は、所定の電波信号が供給されると、これをエネルギー源として周囲の物理量を反映した属性と識別情報を有する電波信号を生成して出力するワイヤレス測定手段を複数備え、前記表示媒体制御装置は、前記複数のワイヤレス測定手段に所定の電波信号を送信する送信手段と、前記複数のワイヤレス測定手段から出力される電波信号を受信する受信手段と、前記複数のワイヤレス測定手段の位置と識別情報との対応関係を各々記憶した記憶手段と、前記受信手段によって受信された各々の電波信号から前記物理量を算出する算出手段と、前記算出手段によって算出された物理量の分布を前記識別情報に基づき前記記憶手段の記憶内容を参照して認識する認識手段と、前記認識手段によって認識された物理量の分布に基づいて前記表示媒体が把持されているか否かを判定する判定手段とを備えることを特徴とする表示媒体制御システムを提供する。
【００１８】
本発明の好ましい態様においては、前記表示媒体は、電子ペーパーであることを特徴とする。
また、本発明の別の好ましい態様においては、前記ワイヤレス測定手段は、電波信号を受信して機械振動を発生させる励振部と、前記励振部が発生した機械振動が伝達されて弾性表面波を発生するとともに、前記弾性表面波の属性が前記物理量によって変化する振動媒体部と、前記弾性表面波を電気信号に変換して電波信号として出力する送信部とを備えることを特徴とする。
【００１９】
また、本発明は、シート状の表示媒体に設けられ、所定の電波信号が供給されると、これをエネルギー源として周囲の物理量を反映した属性と識別情報を有する電波信号を生成して出力するワイヤレス測定手段を複数有するシート状の表示媒体に対して制御を行う表示媒体制御装置の表示媒体制御方法であって、前記複数のワイヤレス測定手段に所定の電波信号を送信するステップと、前記複数のワイヤレス測定手段から出力される電波信号を受信するステップと、受信された各々の電波信号から前記物理量を算出するステップと、算出された物理量の分布を、前記識別情報に基づき、前記複数のワイヤレス測定手段の位置と識別情報との対応関係を各々記憶した記憶手段の記憶内容を参照して認識するステップと、認識された物理量の分布に基づいて前記表示媒体が把持されているか否かを判定するステップとを備えることを特徴とする表示媒体制御方法を提供する。
【発明の効果】
【００２０】
本発明によれば、電子ペーパー等の表示媒体の閲覧状況を検知することができ、その検知された内容に応じて各種の制御を行うことが可能となる。
【発明を実施するための最良の形態】
【００２１】
（１）第１実施形態
以下、図面を参照しつつ本発明の第１実施形態について説明する。
（１−１）構成
（１−１−１）電子ペーパーユニットの構成
まず、本発明の第１実施形態に係る電子ペーパーユニットの構成について、図１を参照しながら説明する。図１において、１００は、電子ペーパー１１０と、複数のワイヤレスの圧力センサが並べて配置されたセンサシート１２０とが積層されて構成された電子ペーパーユニットである。
【００２２】
電子ペーパー１１０は、画像等を無電源で保持することができるシート状（カード状も含む）の表示媒体である。１１１は、複写機で利用されているトナー等の着色粒子によって画像が形成される表示部である。この表示部１１１は、異なる極性に摩擦帯電させた図示せぬ二色の着色粒子が、図示せぬ二枚の電極間に封入された構造となっており、電極間に電圧が印加されることによって帯電した着色粒子が移動して画像が形成されるようになっている。
【００２３】
１１２は、例えばＣＰＵ（Central Processing Unit）などの演算装置や、ＲＯＭ（Read Only Memory）やＲＡＭ（Random Access Memory）などの各種メモリを備えた制御部である。１１３は、アンテナ等を備えた無線ＬＡＮ（Local Area Network）通信部である。電子ペーパー１１０は、この無線ＬＡＮ通信部１１３を介してパーソナルコンピュータ等の通信装置と無線ＬＡＮによるデータ伝送を行うことができるようになっている。制御部１１２は、この無線ＬＡＮ通信部１１３を介して他の装置から各種の指示情報や画像データなどを受信するようになっており、受信した指示情報に基づいて処理を行ったり、受信した画像データが示す画像を表示部１１１に表示させたりする。例えば、表示画像を消去する旨の指示情報を受信すると、制御部１１２は、表示部１１１に電圧を印加させて表示部に表示された画像を消去する。また、画像データとその表示を指示する旨の指示情報とを受信した場合は、受信した画像データに基づいて表示部１１１に電圧を印加させ、受信したデータが示す画像等を表示部１１１に表示させる。
【００２４】
次に、図２を参照しながら、センサシート１２０の構成について説明する。図示のように、センサシート１２０には、複数のワイヤレスの圧力センサ２００Ｐ１〜２００Ｐｎと、複数のワイヤレスの光センサ２００Ｌ１〜２００Ｌｍとが、センサシート１２０の一面を均一に覆うように交互に並べて設けられている。このセンサシート１２０の形状はシート状であるため、このセンサシート１２０を電子ペーパー１１０に積層させた状態であっても、ユーザは電子ペーパー１１０を紙のように扱うことができる。
【００２５】
圧力センサ２００Ｐ１〜２００Ｐｎは、電子ペーパー１１０にかかる圧力を測定するためのワイヤレスセンサであり、２００Ｌ１〜２００Ｌｍは、電子ペーパー１１０にあたる光量を測定するためのワイヤレスセンサである。圧力センサ２００Ｐ１〜２００Ｐｎ，光センサ２００Ｌ１〜２００Ｌｍは、所定の電波信号を受信すると、受信した電波信号の応答信号として検知した圧力または光量を示す電波信号を送信する。これらのワイヤレスセンサ（圧力センサ２００Ｐ１〜２００Ｐｎ，光センサ２００Ｌ１〜２００Ｌｍ）の構造については、後に詳細に説明するため、ここではその説明を省略する。圧力センサ２００Ｐ１〜２００Ｐｎ，光センサ２００Ｌ１〜２００Ｌｍを備えたセンサシート１２０を電子ペーパー１１０に積層させて用いることによって、電子ペーパー１１０表面の圧力または光量を測定することが可能となる。
【００２６】
また、センサシート１２０に設けられた圧力センサ２００Ｐ１〜２００Ｐｎ，光センサ２００Ｌ１〜２００Ｌｍは、それぞれで電波信号の周波数が異なっており、周波数を識別することによって、圧力センサ２００Ｐ１〜２００Ｐｎ，光センサ２００Ｌ１〜２００Ｌｍをそれぞれ一意に識別できるようになっている。
【００２７】
また、それぞれのセンサシート１２０に設けられた圧力センサ２００Ｐ１〜２００Ｐｎ，光センサ２００Ｌ１〜２００Ｌｍの周波数の組み合わせは、それぞれのセンサシート１２０毎に異なっており、電波信号の周波数を識別することによって、センサシート１２０を一意に識別できるようになっている。
【００２８】
なお、以下の説明では、圧力センサ２００Ｐ１〜２００Ｐｎを各々区別する必要がない場合には、説明の便宜上、圧力センサ２００Ｐ１〜２００Ｐｎを「圧力センサ２００Ｐ」と称することとする。光センサ２００Ｌ１〜２００Ｌｍについても同様であり、光センサ２００Ｌ１〜２００Ｌｍを各々区別する必要がない場合には、これらをまとめて光センサ２００Ｌと称することとする。また、圧力センサ２００Ｐと光センサ２００Ｌとを各々区別する必要がない場合には、圧力センサ２００Ｐと光センサ２００Ｌとをまとめて「ワイヤレスセンサ２００」と称して説明する。
【００２９】
（１−１−２）制御装置の構成
次に、本実施形態である制御装置の構成について、図３を参照しながら説明する。図３は、本実施形態である制御装置の全体構成の一例を示したブロック図である。図において、３００は、例えばプリンタや複写機、或いはこれらの複数の機能を兼ね備えた複合機や、パーソナルコンピュータ等の制御装置である。この制御装置３００は、上述したワイヤレスセンサ２００からの電波信号に基づいて電子ペーパーユニット１００の閲覧状態を判定する装置である。３１０は、例えばＣＰＵなどの演算装置や、ＲＯＭやＲＡＭなどの各種メモリを備えた制御部である。３２０は、例えばハードディスクなどの大容量記憶装置で構成された不揮発性の記憶部であり、制御装置３００の各部を動作させるためのプログラムを記憶している。制御部３１０の演算装置は、記憶部３２０に記憶されているコンピュータプログラムを読み出して実行することにより、制御装置３００の各部を制御する。
【００３０】
また、記憶部３２０には、ワイヤレスセンサ２００が検出した結果に基づいて圧力や光量を示す値を算出するためのテーブル（または算出式）等が記憶されている。制御部３１０は、このテーブルに基づいて、ワイヤレスセンサ２００から受信する電波信号の周波数の変化分から圧力または光量を示す値を算出する。若しくは、これらの処理機能を制御部１２２に持たせる事もできる。
また、記憶部３２０には、ワイヤレスセンサ２００の周波数の組み合わせに基づいてシートＩＤを特定するためのテーブル（または算出式）が記憶されている。それぞれのセンサシート１２０に設けられたワイヤレスセンサ２００の周波数の組み合わせは、それぞれのセンサシート１２０毎に異なっており、制御装置３００の制御部３１０は、このテーブルを参照することによって、受信した電波信号の周波数からシートＩＤを特定する。シートＩＤによってセンサシート１２０が識別されることにより、電子ペーパーユニット１００が一意に識別されるようになっている。
【００３１】
３３０は、ワイヤレスセンサ２００に電波信号を発信するとともに、ワイヤレスセンサ２００（圧力センサ２００Ｐ１〜２００Ｐｎ，光センサ２００Ｌ１〜２００Ｌｍ）から発信される電波信号を受信するアンテナ等を備えたセンサ通信部である。上述したように、センサシート１２０のそれぞれに設けられたワイヤレスセンサ２００は、それぞれでその周波数が異なっているため、制御装置３００の制御部３１０は、センサ通信部３３０を介して受信した電波信号の周波数を識別することによって、ワイヤレスセンサ２００を一意に識別できるようになっている。
【００３２】
なお、図３では１つの電子ペーパーユニット１００のみを例示しているが、電子ペーパーユニット１００の数はこれに限定されるものではなく、実際には複数の電子ペーパーユニット１００が用いられる。
【００３３】
次に、３４０は、アンテナ等を備えた無線ＬＡＮ通信部である。制御装置３００は、この無線ＬＡＮ通信部３４０を介して電子ペーパーユニット１００と無線ＬＡＮによるデータ伝送を行うことができるようになっている。３５０は、ユーザが各種の操作を行うためのユーザインタフェース部である。このユーザインタフェース部３５０は、キーボードや表示ディスプレイ等を備えており、ユーザはキーボード等を操作することによって、制御装置３００に対して各種操作を行うことができる。
【００３４】
次に、記憶部３２０に記憶されているテーブルの構成について説明する。記憶部３２０には、圧力照合データテーブルＴＢＬ１と、光量照合データテーブルＴＢＬ２と、測定結果管理テーブルＴＢＬ３とが記憶されている。これらの各テーブルは、制御装置３００の制御部３１０が、後述する「手持ち判定処理」や「重ね順位判定処理」を行う際に用いられるテーブルである。
【００３５】
図４は、圧力照合データテーブルＴＢＬ１のデータ構成を示す図である。このテーブルには、ユーザが電子ペーパーユニット１００を把持している状態で検知される圧力の分布を示す圧力照合データが複数記憶されている。図示のように、圧力照合データテーブルＴＢＬ１には、「圧力照合データＩＤ」と「圧力センサ２００Ｐ１」〜「圧力センサ２００Ｐｎ」の各項目が互いに関連付けられている。圧力照合データテーブルＴＢＬ１の各項目のうち、「圧力照合データＩＤ」には、圧力照合データを識別するための識別情報が記憶されている。「圧力センサ２００Ｐ１」〜「圧力センサ２００Ｐｎ」には、圧力の大きさを示す情報が記憶されている。
【００３６】
ここで、圧力照合データテーブルＴＢＬ１に記憶された圧力照合データが示す圧力分布の一例について、図５を参照しながら説明する。図５は、電子ペーパーユニット１００が把持されている状態で検知される圧力の分布の一例を示す図である。図において、１３０は、電子ペーパーユニット１００を把持するユーザの手の形状を示すものであり、ユーザの親指とその他の指との間に挟まれて電子ペーパーユニット１００が把持されている。なお、本実施形態に係るセンサシート１２０には、圧力センサ２００Ｐと光センサ２００Ｌとの２種類のワイヤレスセンサ２００が設けられているが、図５においては、説明を簡略にするため、光センサ２００Ｌを図示せず圧力センサ２００Ｐのみを図示している。
【００３７】
図５では、圧力センサ２００Ｐ１〜２００Ｐｎで検知される圧力を３段階に分けて図示している。図において、右上がりのハッチングで示す圧力センサ２００Ｐａは、圧力を３段階に分けた場合の１番高い圧力が検知される圧力センサ２００Ｐを示している。次に、右下がりのハッチングで示す圧力センサ２００Ｐｂは、３段階に分けた場合の２番目に大きい圧力が検知される圧力センサ２００Ｐを示している。その他の圧力センサ２００Ｐｃは、圧力が検知されない圧力センサ２００Ｐを示している。図示のように、ユーザの親指やその他の指の先端部分付近で大きい圧力が検知され、指の先端部分以外で手と電子ペーパーユニット１００が接触する部分では中程度の圧力が検知される。ユーザの手が接触しない部分では圧力は検知されない。
【００３８】
圧力照合データテーブルＴＢＬ１には、図５に例示したような、電子ペーパーユニット１００が把持された場合の圧力分布を示す圧力照合データが複数記憶されている。制御装置３００の制御部３１０は、このテーブルに記憶されている圧力照合データと、電子ペーパーユニット１００に設けられた圧力センサ２００Ｐから検知された圧力データとを照合し、一致するか否かを判定することによって、電子ペーパーユニット１００が把持されているか否かを判定する。
【００３９】
次に、記憶部３２０に記憶されている光量照合データテーブルＴＢＬ２のデータ構成について、図６を参照しつつ説明する。図６は、光量照合データテーブルＴＢＬ２のデータ構成を示す図である。このテーブルには、ユーザが電子ペーパーユニット１００を把持している状態で検知される光量の分布を示す光量照合データが複数記憶されている。図示のように、光量照合データテーブルＴＢＬ２には、「光量照合データＩＤ」と「光センサ２００Ｌ１」〜「光センサ２００Ｌｍ」の各項目が互いに関連付けられている。光量照合データテーブルＴＢＬ２の各項目のうち、「光量照合データＩＤ」には、光量照合データを識別するための識別情報が記憶されている。「光センサ２００Ｌ１」〜「光センサ２００Ｌｍ」には、光量を示す情報が記憶されている。
【００４０】
ここで、光量照合データテーブルＴＢＬ２に記憶された光量照合データが示す光量分布の一例について、図７を参照しながら説明する。図７は、電子ペーパーユニット１００が把持されている状態で検知される光量の分布の一例を示す図である。図において、電子ペーパーユニット１００は、ユーザの親指とその他の指との間に挟まれて把持されている。なお、本実施形態に係るセンサシート１２０には、圧力センサ２００Ｐと光センサ２００Ｌとの２種類のワイヤレスセンサが設けられているが、図７においては、説明を簡略にするため、圧力センサ２００Ｐを図示せず光センサ２００Ｌのみを図示している。
【００４１】
図において、ハッチングで示す光センサ２００Ｌａは、光が検知されない光センサ２００Ｌを示している。その他の光センサ２００Ｌｂは、光が検知される光センサ２００Ｌを示している。図示のように、ユーザの親指に覆われる部分では光が検知されず、それ以外の部分では光が検知される。
【００４２】
記憶部３２０の光量照合データテーブルＴＢＬ２には、図７に例示したような、電子ペーパーユニット１００が把持された場合の光量分布を示す光量照合データが複数記憶されている。制御装置３００の制御部３１０は、このテーブルに記憶されている光量照合データと、電子ペーパーユニット１００に設けられた光センサ２００Ｌから検知された光量データとを照合し、一致するか否かを判定することによって、電子ペーパーユニット１００が閲覧されているか否かを判定する。例えば、複数の電子ペーパーユニット１００が重ねられて把持されているような場合、一番上に位置する電子ペーパーユニット１００では図７に示したような光量分布が検知され、それ以外の電子ペーパーユニット１００では、他の電子ペーパーユニット１００がその上に重ねられているために光が検知されない。若しくは、媒体が光を透過する場合には光量が低下する。そのため、上述した照合判定を行うことによって、一番上に位置する電子ペーパーユニット１００を特定することができる。
【００４３】
続けて、測定結果管理テーブルＴＢＬ３のデータ構成について説明する。図８は、測定結果管理テーブルＴＢＬ３のデータ構成を示す図である。このテーブルは、電子ペーパーユニット１００のそれぞれで検知される圧力および光量を記憶するためのテーブルである。このテーブルには、電子ペーパーユニット１００に設けられた圧力センサ２００Ｐおよび光センサ２００Ｌで検知される圧力と光量が、電子ペーパーユニット１００毎に記憶される。図示のように、測定結果管理テーブルＴＢＬ３は、「シートＩＤ」と「圧力センサ２００Ｐ１」〜「圧力センサ２００Ｐｎ」と「光センサ２００Ｌ１」〜「光センサ２００Ｌｍ」と「圧力照合結果」と「光量照合結果」と「重ね順位」の各項目が互いに関連付けられている。
【００４４】
測定結果管理テーブルＴＢＬ３の各項目のうち、「シートＩＤ」は、電子ペーパーユニット１００の各々を識別するための情報である。制御装置３００の制御部３１０は、ワイヤレスセンサ２００の周波数を識別することによって、センサシート１２０を識別するためのシートＩＤを特定する。シートＩＤによってセンサシート１２０が識別されることにより、電子ペーパーユニット１００が一意に識別されるようになっている。
【００４５】
測定結果管理テーブルＴＢＬ３における「圧力センサ２００Ｐ１」〜「圧力センサ２００Ｐｎ」の項目には、センサシート１２０に設けられた圧力センサ２００Ｐ１〜２００Ｐｎで検知される圧力を示す情報が記憶される。制御装置３００の制御部３１０は、圧力センサ２００Ｐ１〜２００Ｐｎから電波信号を受信すると、その電波信号から圧力を算出し、算出された圧力をこのテーブルに記憶させる。「光センサ２００Ｌ１」〜「光センサ２００Ｌｍ」の項目には、センサシート１２０に設けられた光センサ２００Ｌ１〜２００Ｌｎで検知される光量を示す情報である。制御装置３００の制御部３１０は、光センサ２００Ｌ１〜２００Ｌｍから電波信号を受信すると、その電波信号から光量を算出し、算出された光量をこのテーブルに記憶させる。なお、以下では、説明の便宜上、「圧力センサ２００Ｐ１」〜「圧力センサ２００Ｐｎ」の項目に記憶されているデータをまとめて「圧力データ」と称し、「光センサ２００Ｌ１」〜「光センサ２００Ｌｍ」の項目に記憶されている情報をまとめて「光量データ」と称して説明する。
【００４６】
次に、「圧力照合結果」と「光量照合結果」の項目には、後述する「手持ち判定処理」の判定結果を示す情報が記憶される。制御装置３００の制御部３１０は、圧力照合データテーブルＴＢＬ１に記憶されている圧力照合データと、この測定結果管理テーブルＴＢＬ３に記憶された圧力データとを照合し、一致するか否かを判定することによって、電子ペーパーユニット１００が把持されているか否かを判定し、その判定結果を「圧力照合結果」の項目に記憶させる。一致する圧力照合データがある場合には、判定結果として「一致」が記憶され、一致する圧力照合データがない場合には、判定結果として「不一致」が記憶される。
また、制御部３１０は、光量照合データテーブルＴＢＬ２に記憶されている光量照合データと、この測定結果管理テーブルＴＢＬ３に記憶された光量データとを照合し、一致するか否かを判定することによって、電子ペーパーユニット１００が閲覧されているか否かを判定し、その判定結果を「光量照合結果」の項目に記憶させる。一致する光量照合データがある場合には、判定結果として「一致」が記憶され、一致する光量照合データがない場合には、判定結果として「不一致」が記憶される。
「重ね順位」の項目には、後述する「重ね順位判定処理」の判定結果を示す情報が記憶される。
【００４７】
（１−２）動作
次に、電子ペーパーユニット１００と制御装置３００の一連の動作について、図９のフローチャートを参照しつつ説明する。
制御装置３００の制御部３１０は、電子ペーパーユニット１００に設けられている複数の圧力センサ２００Ｐおよび光センサ２００Ｌに対して、所定の電波信号を送信する。圧力センサ２００Ｐは、電波信号を受信すると、受信した電波信号の応答信号として検知した圧力を示す電波信号を送信する。また、光センサ２００Ｌは、電波信号を受信すると、受信した電波信号の応答信号として検知した光量を示す電波信号を送信する。
【００４８】
制御装置３００の制御部３１０は、圧力センサ２００Ｐおよび光センサ２００Ｌからセンサ通信部３３０を介して電波信号を受信すると、受信した電波信号から圧力や光量といった物理量を算出する（ステップＳ１）。
【００４９】
（１−２−１）物理量算出処理
ここで、図９のステップＳ１に示す物理量算出処理について、図１０のフローチャートを参照しながらその詳細を説明する。
図１０は、制御部３１０が行う物理量算出処理を示すフローチャートである。制御部３１０は、センサ通信部３３０を介してワイヤレスセンサ２００からの電波信号を受信する（ステップＳ２１）。受信される電波信号は、複数のワイヤレスセンサ２００から送信された異なる周波数の電波信号である。制御部３１０は図示しないカウンタを「ｎ＝０」に設定する（ステップＳ２２）。
制御部３１０は、所定の周波数近傍を抽出するＢＰＦ（バンドパスフィルタ）処理を行う（ステップＳ２３）。続けて、ワイヤレスセンサ２００の種別を判定する（ステップＳ２４）。ワイヤレスセンサ２００の種別が圧力センサである場合は、予め記憶部３２０に記憶されたテーブルからワイヤレスセンサ２００によって計測された圧力を算出する（ステップＳ２５）。ワイヤレスセンサ２００の種別が光センサである場合は、予め記憶部３２０に記憶されたテーブルからワイヤレスセンサ２００によって計測された光量を算出する（ステップＳ２６）。さらに、これらの算出結果を測定結果管理テーブルＴＢＬ３に記憶させる（ステップＳ２７）。
【００５０】
ステップＳ２７の処理が終了すると、制御部３１０はカウンタを歩進して「ｎ＝ｎ＋１」とし（ステップＳ２８）、このｎがワイヤレスセンサ２００の総数以上になったか否かを判定する（ステップＳ２９）。この判定で、カウンタ値が「ワイヤレスセンサ２００の総数」未満の場合には（ステップＳ２９；Ｎｏ）、各センサからの換算が終了していないために、ステップＳ２３以降の処理を続行し、カウンタ値が「ワイヤレスセンサ２００の総数」に達した場合には（ステップＳ２９；Ｙｅｓ）、すべてのワイヤレスセンサ２００に対しての測定結果が算出されたものとして処理を終了する。この使用例においては、周波数に応じてワイヤレスセンサ２００を識別することにより、個々のワイヤレスセンサ２００からの測定結果を得ることができる。
以上のようにしてワイヤレスセンサ２００で検知した圧力と光量が算出され、それらが測定結果管理テーブルＴＢＬ３に記憶される。
【００５１】
図９の説明に戻る。ワイヤレスセンサ２００で検知した圧力と光量が算出され、算出された圧力と光量とが測定結果管理テーブルＴＢＬ３に記憶されると（ステップＳ１）、制御部３１０は、ステップＳ２からステップＳ５の処理を行うことによって、各々の電子ペーパーユニット１００について、ユーザに把持されているか否かの判定処理を行う。
【００５２】
まず、制御部３１０は、図示しないカウンタを「ｉ＝０」に設定する（ステップＳ２）。続けて、電子ペーパーユニット１００がユーザに把持されているか否かを判定する「手持ち判定処理」を行い、記憶部３２０の測定結果管理テーブルＴＢＬ３に判定結果を記憶する（ステップＳ３）。ステップＳ３の処理が終了すると、制御部３１０はカウンタを歩進して「ｉ＝ｉ＋１」とし（ステップＳ４）、このｉが電子ペーパーユニット１００の総数以上になったか否かを判定する（ステップＳ５）。この判定で、カウンタ値が「電子ペーパーユニット１００の総数」未満の場合には（ステップＳ５；Ｎｏ）、各電子ペーパーユニット１００に対する判定が終了していないために、ステップＳ３以降の処理を続行し、カウンタ値が「電子ペーパーユニット１００の総数」に達した場合には（ステップＳ５；Ｙｅｓ）、すべての電子ペーパーユニット１００に対しての測定結果が算出されたものとして、ステップＳ６以降の処理に進む。
【００５３】
（１−２−２）手持ち判定処理
ここで、図９のステップＳ３に示した手持ち判定処理について、図１１のフローチャートを参照しつつ説明する。図１１は、制御装置３００の制御部３１０が行う手持ち判定処理を示すフローチャートである。この処理では、制御部３１０は、算出された圧力に基づいて、その電子ペーパーが把持されているか否かを判定する。
まず、制御部３１０は、図示しないカウンタを「ｉ＝０」に設定する（ステップＳ３１）。前述した物理量算出処理（図９のステップＳ１の処理）によって算出された圧力データを測定結果管理テーブルＴＢＬ３から読み出し、読み出した圧力データと、圧力照合データテーブルＴＢＬ１に記憶された圧力照合データとを照合し（ステップＳ３２）、一致するか否かを判定する（ステップＳ３３）。一致しない場合は（ステップＳ３３；Ｎｏ）、制御部３１０はカウンタを歩進して「ｉ＝ｉ＋１」とし（ステップＳ３４）、このｉが圧力照合データの総数以上になったか否かを判定する（ステップＳ３５）。この判定で、カウンタ値が「圧力照合データの総数」未満の場合には（ステップＳ３５；Ｎｏ）、すべての圧力照合データに対する照合が終了していないために、ステップＳ３２以降の処理を続行する。カウンタ値「圧力照合データの総数」に達した場合には（ステップＳ３５；Ｙｅｓ）、すべての圧力照合データに対して照合を行ったが一致する圧力照合データがなかったものとして、電子ペーパーユニット１００が把持されていないと判断され、測定結果管理テーブルＴＢＬ３の「圧力照合結果」の項目に、「不一致」を記憶する（ステップＳ３６）。
ステップＳ３３において、圧力照合データと圧力データとが一致する場合は（ステップＳ３３；Ｙｅｓ）、測定結果管理テーブルＴＢＬ３の「圧力照合結果」の項目に、「一致」を記憶し（ステップＳ３７）、ステップＳ３８以降の処理に進む。
【００５４】
このような照合判定処理を行うことによって、各々の電子ペーパーユニット１００についてその電子ペーパーユニット１００が把持されているか否かを判定することが可能となる。
【００５５】
続けて、制御部３１０は、ステップＳ３８からステップＳ４４の処理を行うことによって、算出された光量に基づいてその電子ペーパーユニット１００が閲覧されているか否かを判定する。例えば、複数の電子ペーパーユニット１００が重ねられて把持されているような場合は、一番上に位置する電子ペーパーユニット１００では、図７に示したような光量分布が検知され、それ以外の電子ペーパーユニット１００は他の電子ペーパーユニットがその上に重ねられているために光が検知されない。そのため、光量データによる照合判定を行うことによって、一番上に位置する電子ペーパーユニット１００を特定することができる。
【００５６】
まず、制御装置３００の制御部３１０は、図示しないカウンタを「ｉ＝０」に設定する（ステップＳ３８）。次に、前述した物理量算出処理によって算出された光量データを、測定結果管理テーブルＴＢＬ３から読み出し、読み出した光量データと、光量照合データテーブルＴＢＬ２に記憶された光量照合データとを照合し（ステップＳ３９）、一致するか否かを判定する（ステップＳ４０）。一致しない場合は（ステップＳ４０；Ｎｏ）、制御部３１０はカウンタを歩進して「ｉ＝ｉ＋１」とし（ステップＳ４１）、このｉが光量照合データの総数以上になったか否かを判定する（ステップＳ４２）。この判定で、カウンタ値が「光量照合データの総数」未満の場合には（ステップＳ４２；Ｎｏ）、すべての光量照合データに対する照合が終了していないために、ステップＳ３９以降の処理を続行する。カウンタ値が「光量照合データの総数」に達した場合には（ステップＳＳ４２；Ｙｅｓ）、すべての光量照合データに対して照合が行われたものとして、一致する光量照合データがなかったために電子ペーパーユニット１００が閲覧されていないと判断され、測定結果管理テーブルＴＢＬ３の「光量照合結果」の項目に「不一致」を記憶する（ステップＳ４３）。
ステップＳ４０において、光量照合データと光量データとが一致する場合は（ステップＳ４０；Ｙｅｓ）、測定結果管理テーブルＴＢＬ３に、「一致」を記憶させ（ステップＳ４４）、そのまま処理を終了する。
【００５７】
これにより、複数の電子ペーパーユニット１００が把持されている場合であっても、一番上に位置する電子ペーパーユニット１００、つまり閲覧されている電子ペーパーユニットを特定することが可能となる。
【００５８】
図９の説明に戻る。すべての電子ペーパーユニット１００に対して上述した手持ち判定処理が行われると（ステップＳ２〜ステップＳ５）、制御装置３００の制御部３１０は、測定結果管理テーブルＴＢＬ３を参照して複数の電子ペーパーユニット１００が把持されているか否かを判定する（ステップＳ６）。複数の電子ペーパーユニット１００が把持されている場合は（ステップＳ６；Ｙｅｓ）、それら把持されている電子ペーパーユニット１００のその重ね順位を判定する（ステップＳ７）。１枚のみ把持されている場合または把持されている電子ペーパーユニット１００がない場合には（ステップＳ６；Ｎｏ）、重ね順位を判定する必要がないため、ステップＳ７の重ね順位判定処理を行わない。
【００５９】
（１−２−３）重ね順位判定処理
ここで、制御装置３００の制御部３１０が行う重ね順位判定処理（図９のステップＳ７で示した処理）について、図１２のフローチャートを参照しながら説明する。
まず、制御部３１０は、記憶部３２０に記憶されている測定結果管理テーブルＴＢＬ３の「圧力照合結果」に「一致」が記憶されているレコードの圧力データを読み出し（ステップＳ７１）、その圧力に基づいてソートする（ステップＳ７２）。そして、ソートされることによって特定された電子ペーパーユニット１００の重ね順位を測定結果管理テーブルＴＢＬ３に記憶する（ステップＳ７３）。
【００６０】
ここで、図１２のステップＳ７２に示したソート処理の処理内容の一例について、図１３を参照しながら説明する。図１３は、４枚の電子ペーパーユニット１００ａ，１００ｂ，１００ｃ，１００ｄについて、それぞれの圧力センサ２００Ｐで検知される圧力を３段階で示した図である。なお、図１３においては、あるユーザが４枚の電子ペーパーユニット１００ａ，１００ｂ，１００ｃ，１００ｄをこの順番で把持しているものとする。即ち、重ねられた４枚のうち、一番上が電子ペーパーユニット１００ａであり、その次が電子ペーパーユニット１００ｂ，その次に電子ペーパーユニット１００ｃ，そして一番下が電子ペーパーユニット１００ｄである。なお、以下の説明では、上のほうに重ねられている電子ペーパーユニット１００が重ね順位が「高い」とし、下にいくにつれて重ね順位が「低い」とみなすものとする。
【００６１】
図において、圧力センサ２００Ｐａ，２００Ｐｂ，２００Ｐｃは、検知される圧力を３段階に分けて表したものであり、図５と同様であるため、ここではその説明を省略する。これら４枚の電子ペーパーユニット１００ａ〜１００ｄは、ユーザの親指とその他の指との間に挟んで把持されているため、ユーザの親指付近で検知される圧力は、一番上に位置する電子ペーパーユニット１００ａが最も大きく、重ね順位が下にいくにつれて小さくなる。図示のように、電子ペーパーユニット１００ｃ，１００ｄでは、ユーザの親指付近の圧力は検知されない。逆に、親指以外の指の先端付近は、一番下に位置する電子ペーパーユニット１００ｄで最も大きい圧力が検知され、上にいくほど小さい圧力になる。図示のように、電子ペーパーユニット１００ａ，１００ｂでは、親指以外の指の先端付近では圧力は検知されない。
【００６２】
このように、重ね順位によって検知される圧力分布が異なるため、例えば親指付近で検知された圧力についてソートしたり、親指以外の指の先端部分の圧力でソートしたり、あるいはこれらのソートを組み合わせて用いたりすることによって、電子ペーパーユニット１００の重ね順位を判定することができる。
【００６３】
図９の説明に戻る。図９に示したステップＳ１からステップＳ７の処理を行うことによって、制御部３１０は、電子ペーパーユニット１００の閲覧状態を検知することができる。制御部３１０は、その検知結果に基づいて、例えば電子データの表示や消去、ログの取得といった各種の制御処理を行う（ステップＳ８）。
【００６４】
（１−２−４）未読メール出力処理
ここで、制御装置３００の制御部３１０が行う制御処理の一例として、未読メール出力処理について図１４を参照しつつ説明する。この処理は、把持されている電子ペーパーユニット１００に未読の電子メールを表示させるという処理である。なお、電子ペーパーユニット１００の閲覧状態の検知結果に基づく処理は、以下に説明する未読メール出力処理に限らず、例えば電子データの表示や消去、ログの取得といった各種の処理が可能である。
【００６５】
制御装置３００のユーザは、ユーザインタフェース部３５０を操作して、電子ペーパーユニット１００に未読の電子メールを表示させる旨の指示情報を入力する。制御装置３００の制御部３１０は、ユーザインタフェース部３５０から表示指示情報が入力されたことを検知すると（ステップＳ８１；Ｙｅｓ）、記憶部３２０に記憶されている測定結果管理テーブルＴＢＬ３の「圧力照合結果」の項目を参照して、把持されている電子ペーパーユニット１００があるか否かを判定する（ステップＳ８２）。把持されている電子ペーパーユニット１００がないと判定された場合は（ステップＳ８２；Ｎｏ）、データ送信処理を行わず、そのまま処理を終了する。把持されている電子ペーパーユニット１００があると判定された場合は（ステップＳ８２；Ｙｅｓ）、電子メールのフォーマットを電子ペーパーユニット１００で表示可能なフォーマットに変換する（ステップＳ８３）。そして、変換した電子メールデータを、フォントサイズ，行数，文字数などの１ページの単位に基づいて、１枚の電子ペーパー１１０に表示可能なページ単位に分割し、その電子メールデータのページ数が複数であるか否かを判定する（ステップＳ８４）。ページ数が１枚であると判定された場合は（ステップＳ８４；Ｎｏ）、把持されている電子ペーパーユニット１００が２枚以上あるか否かを判定する（ステップＳ８５）。把持されている電子ペーパーユニット１００が１枚である場合は（ステップＳ８５；Ｎｏ）、把持されている電子ペーパーユニット１００に対して、無線ＬＡＮ通信部３４０を介して、ステップＳ８３で変換された電子メールデータを送信する（ステップＳ８６）。
【００６６】
電子ペーパーユニット１００の制御部１１２は、無線ＬＡＮ通信部１１３を介して電子メールデータを受信すると、そのデータに基づいて表示部１１１に駆動信号を印加して電子メールを表示させる。
【００６７】
これにより、ユーザは、電子ペーパーユニット１００を把持して制御装置３００に表示指示情報を入力するだけで、その電子ペーパーユニット１００に電子メールを表示させることが可能となる。
【００６８】
また、制御装置３００は、把持されている電子ペーパーユニット１００に対して電子メールデータを送信するため、ユーザが電子ペーパーユニット１００を複数所有している場合であっても、どの電子ペーパーユニット１００に電子メールを表示させるかといった指示を入力する必要がなく、ユーザの利便性を向上させることができる。
【００６９】
図１４のステップＳ８５において、電子ペーパーユニット１００が２枚以上把持されていると判断された場合は（ステップＳ８５；Ｙｅｓ）、測定結果管理テーブルＴＢＬ３の「光量照合結果」を参照して一番上に位置する電子ペーパーユニット１００を特定し、特定された電子ペーパーユニット１００に対して電子メールデータを送信する（ステップＳ８７）。
【００７０】
これにより、ユーザが複数の電子ペーパーユニット１００を重ねて把持している場合であっても、重ねられた電子ペーパーユニット１００のうちの一番上の電子ペーパーユニット１００に電子メールを表示させることが可能となる。
【００７１】
図１４のステップＳ８４において、電子メールデータのページ数が複数であると判定された場合は（ステップＳ８４；Ｙｅｓ）、把持されている電子ペーパーユニット１００が２枚以上あるか否かを判定する（ステップＳ８８）。把持されている電子ペーパーユニット１００が１枚であると判断された場合は（ステップＳ８８；Ｎｏ）、１ページ目のみのデータを送信する（ステップＳ８９）。把持されている電子ペーパーユニット１００が２枚以上であると判断された場合は（ステップＳ８８；Ｙｅｓ）、測定結果管理テーブルＴＢＬ３の「重ね順位」の項目から把持されている電子ペーパーユニット１００の重ね順位を読み出し、その順番に電子メールが表示されるように、それぞれの電子ペーパーユニット１００に対して対応する電子メールデータを送信する（ステップＳ９０）。
【００７２】
これにより、電子メールが１枚の電子ペーパー１１０で表示しきれないような場合であっても、複数の電子ペーパー１１０に、適切な順序で電子メールを表示させることができる。このため、長い電子メールの場合であっても、ユーザは、重ねて把持した電子ペーパーユニット１００を上から順番に見ていくことによって、電子メールの内容を確認することが可能となる。
【００７３】
（２）第２実施形態
次に、本発明の第２実施形態について説明する。
（２−１）構成
まず、本発明の第２実施形態に係るシステムの全体構成について、図１５を参照しつつ説明する。図１５において、４００は、例えばデスクなどの載置部材である。この載置部材４００は、第１実施形態に係る電子ペーパーユニット１００や制御装置３００等を載置することが可能であり、ユーザは、この載置部材４００に電子ペーパーユニット１００等を載置して所望する作業を行うことができるようになっている。
【００７４】
次に、図１５に示す電子ペーパーユニット１００´が、図１に示した第１実施形態に係る電子ペーパーユニット１００と異なる点は、位置を測定するためのワイヤレスの位置センサ２００Ｃを備えている点であり、その他の構成要素やおおよその処理については、電子ペーパーユニット１００と同様である。そこで、以下においては、電子ペーパーユニット１００と同様の構成要素や処理については、同じ番号を付与して適宜その説明を省略する。
【００７５】
電子ペーパーユニット１００´に設けられている位置センサ２００Ｃは、載置部材４００に対する電子ペーパーユニット１００´の位置を測定するためのワイヤレスセンサである。位置センサ２００Ｃは、所定の電波信号を受信すると、その応答信号として電波信号を送信する。送信される電波信号の強度によって、位置センサ２００Ｃまでの距離が特定できるようになっている。
【００７６】
図１５において、５００ａ，５００ｂ，５００ｃ，５００ｄ，５００ｅ，５００ｆは、位置センサ２００Ｃに電波信号を発信するとともに、位置センサ２００Ｃから発信される電波信号を受信するセンサ通信装置である。センサ通信装置５００ａ〜５００ｆは、位置センサ２００Ｃからの電波信号を受信し、受信した電波信号に基づいて、センサ通信装置５００ａ〜５００ｆと位置センサ２００Ｃとの距離を算出し、算出された距離を示す距離情報を制御装置３００´に対して送信する。
【００７７】
なお、以下では、説明の便宜上、センサ通信装置５００ａ〜５００ｆを各々区別する必要がない場合には、センサ通信装置５００ａ〜５００ｆをまとめて「センサ通信装置５００」と称することとする。
【００７８】
図１５において、６００は、電子ペーパーユニット１００´や制御装置３００´等を操作するユーザである。ユーザ６００には、電子ペーパーユニット１００´の位置センサ２００Ｃと同様の位置センサ２００Ｃが設けられている。これは例えばユーザ６００が普段着用する名札等に位置センサ２００Ｃが付与されている。ユーザ６００に付与された位置センサ２００Ｃからの電波信号によって、載置部材４００に対するユーザ６００の位置が特定できるようになっている。
【００７９】
電子ペーパーユニット１００´およびユーザ６００に設けられた位置センサ２００Ｃについても、第１実施形態で示した圧力センサ２００Ｐや光センサ２００Ｌと同様に、それぞれで電波信号の周波数が異なっており、その周波数を識別することによって、位置センサ２００Ｃを一意に識別できるようになっている。
【００８０】
次に、図１５に示す制御装置３００´が、図３に示した第１実施形態の制御装置３００と異なる点は、センサ通信装置５００から距離情報を受信する点と、電子ペーパーユニット１００´の位置を管理するためのテーブルを記憶部３２０に記憶している点と、センサ通信装置５００から受信した位置情報に基づいて、電子ペーパーユニット１００´の位置を特定する点であり、その他の構成要素やおおよその処理については、制御装置３００と同様である。そこで、以下においては、制御装置３００と同様の構成要素や処理については、同じ番号を付与して適宜その説明を省略する。
【００８１】
図１６は、制御装置３００´の記憶部３２０に記憶されている距離管理テーブルのデータ構成を示す図である。このテーブルは、センサ通信装置５００から受信する距離情報を管理するためのテーブルである。図示のように、距離管理テーブルは、「シートＩＤ」と「距離ａ」と「距離ｂ」と「距離ｃ」と「距離ｄ」と「距離ｅ」と「距離ｆ」と「机上閲覧判定結果」との各項目が互いに関連付けられている。このテーブルは、制御装置３００´の制御部３１０が、電子ペーパーユニット１００´が載置部材４００に載置されているか否かを判定する際に用いるテーブルである。
【００８２】
距離管理テーブルの各項目のうち、「シートＩＤ」の項目には、センサシート１２０を識別するための識別情報が記憶される。「距離ａ」〜「距離ｆ」の項目には、センサ通信装置５００ａ〜５００ｂと電子ペーパーユニット１００´との距離を示す距離情報が記憶される。制御装置３００´の制御部３１０は、センサ通信装置５００から距離情報を受信すると、受信した距離情報をこの距離管理テーブルに記憶する。「机上閲覧判定結果」の項目には、制御装置３００´の制御部３１０が行う後述する「机上閲覧判定処理」の判定結果が記憶される。制御装置３００´の制御部３１０は、電子ペーパーユニット１００´が載置部材４００に載置されており、かつユーザが載置部材４００から所定距離以内の場所にいる場合に、その電子ペーパーユニット１００´が「机上閲覧」されていると判断する。
【００８３】
次に、図１７に示すブロック図を参照しながら、本実施形態に係るセンサ通信装置５００の構成について説明する。図において、５１０は、例えばＣＰＵなどの演算装置や、ＲＯＭやＲＡＭなどの各種メモリを備えた制御部である。５３０は、ワイヤレスセンサ２００に電波信号を発信するとともに、ワイヤレスセンサ２００から発信される電波信号を受信するアンテナ等を備えたセンサ通信部である。５２０は、アンテナ等を備えた無線ＬＡＮ通信部であり、センサ通信装置５００は、この無線ＬＡＮ通信部１１３を介して制御装置３００´と無線ＬＡＮによるデータ伝送を行うことができるようになっている。センサ通信装置５００の制御部５１０は、位置センサ２００Ｃからの電波信号を受信し、受信情報に基づいて距離情報を算出して制御装置３００´に送信する。
【００８４】
（２−２）動作
次に、本実施形態である制御装置３００´の動作について、図１８に示すフローチャートを参照しつつ説明する。図１８は、制御装置３００´が行う一連の処理を示したフローチャートである。図１８に示すフローチャートが、図９に示すフローチャートと異なる点は、物理量算出処理（ステップＳ１）の後に距離情報受信処理（ステップＳ９）を行う点と、手持ち判定処理（ステップＳ３）の後に、机上閲覧されているか否かを判定する（ステップＳ１０〜ステップＳ１１）点であり、それ以外の処理については図９に示したフローチャートと同様である。そのため、図９に示したフローチャートと同様の処理については、同じ符号を付与してその説明を省略する。
【００８５】
図１８のフローチャートにおいて、物理量算出処理（ステップＳ１）が終了すると、制御部３１０は、センサ通信装置５００から距離情報を受信する（ステップＳ９）。なお、図１８では、説明の便宜上、ステップＳ１の物理量算出処理が終了した後に距離情報を受信するようにしたが、ワイヤレスセンサ２００からの電波信号の受信とセンサ通信装置５００からの距離情報の受信の順序をこれに限定するものではなく、距離情報を先に受信してもよく、また、電波信号の受信処理と距離情報の受信処理とが別プロセスで並列に処理されるようにすることももちろん可能である。
【００８６】
ステップＳ９に示した距離情報受信処理が終わると、制御部３１０は、図示しないカウンタを「ｉ＝０」に設定する（ステップＳ２）。続けて、制御部３１０は、ユーザに把持されているか否かを判定し、記憶部３２０の測定結果管理テーブルＴＢＬ３に判定結果を記憶する（ステップＳ３）。
【００８７】
ステップＳ３の処理が終了すると、制御装置３００´の制御部３１０は、測定結果管理テーブルＴＢＬ３を参照して、その電子ペーパーユニット１００´が把持されているか否かを判定する（ステップＳ１０）。ここで、把持されていると判断された場合は（ステップＳ１０；Ｙｅｓ）、第１実施形態と同様にステップＳ４以降の処理に進む。把持されていないと判断された場合は（ステップＳ１０；Ｎｏ）、机上で閲覧されている可能性があるために机上閲覧されているか否かを判定する（ステップＳ１１）。
【００８８】
ここで、図１８のステップＳ１１で示した机上閲覧判定処理について、図１９に示すフローチャートを参照しつつ説明する。制御装置３００´の制御部３１０は、距離管理テーブルに記憶されている距離情報に基づいて、載置部材４００に対する電子ペーパーユニット１００´の位置を算出する（ステップＳ１０１）。そして、電子ペーパーユニット１００´が載置部材４００に載置されているか否かを判定する（ステップＳ１０２）。載置されていないと判断された場合は（ステップＳ１０２；Ｎｏ）、机上閲覧されていないと判断され、その結果を距離管理テーブルに記憶する（ステップＳ１０３）。載置されていると判断された場合は（ステップＳ１０２；Ｙｅｓ）、ユーザがその電子ペーパーユニット１００´を閲覧中であるか否かを判定するために、ユーザの位置を算出する（ステップＳ１０４）。そして、ユーザと載置部材４００との距離が所定値以内であるか否かを判定する（ステップＳ１０５）。ユーザと載置部材４００との距離が所定値以内である場合には（ステップＳ１０５；Ｙｅｓ）、ユーザがその電子ペーパーユニット１００´を閲覧中であると判断され、その判定結果を距離管理テーブルに記憶する（ステップＳ１０６）。所定値より大きい場合には（ステップＳ１０５；Ｎｏ）、机上閲覧中でないと判断され、その結果を距離管理テーブルに記憶する（ステップＳ１０３）。このようにして机上閲覧されているか否かが判定される。これにより、机上閲覧されているか否かが判定できる。
【００８９】
図１８の説明に戻る。ステップＳ１１の机上閲覧判定処理が終了すると、制御部３１０は、第１実施形態と同様にステップＳ４からステップＳ７の処理を行い、その検知結果に基づいて、例えば電子データの表示や消去、ログの取得といった各種の制御処理を行う（ステップＳ８）。
【００９０】
ここで、制御装置３００´の制御部３１０が行う制御処理の一例として、未読メール出力処理について、図２０を参照しつつ説明する。なお、電子ペーパーユニット１００の机上閲覧の検知結果に基づく制御処理は、以下に説明する未読メール出力処理に限らず、例えば電子データの表示や消去、ログの取得といった各種の制御処理が可能である。
【００９１】
図２０に示すフローチャートが、図１４に示すフローチャートと異なる点は、電子ペーパーユニット１００が把持されているか否かを判定する処理（ステップＳ８２）の判定条件に、机上閲覧されているか否かの判定条件が追加される点であり、それ以外の処理については図１４に示したフローチャートと同様である。そのため、図１４に示したフローチャートと同様の処理については、同じ符号を付与してその説明を省略する。
【００９２】
制御装置３００´のユーザは、ユーザインタフェース部３５０を操作して、電子ペーパーユニット１００´に未読の電子メールを表示させる旨の指示情報を入力する。制御装置３００´の制御部３１０は、ユーザインタフェース部３５０から表示指示情報が入力されたことを検知すると（ステップＳ８１；Ｙｅｓ）、記憶部に記憶されている測定結果管理テーブルＴＢＬ３の「圧力照合結果」を参照して、把持されている電子ペーパーユニット１００´があるか否かを判定するとともに、距離管理テーブルに記憶されている「机上閲覧判定結果」を参照して、机上閲覧されている電子ペーパーユニット１００´があるか否かを判定する（ステップＳ８２´）。手持ち閲覧されている電子ペーパーユニット１００´があるか、または机上閲覧されている電子ペーパーユニット１００´があると判定された場合には（ステップＳ８２´；Ｙｅｓ）、第１実施形態と同様にステップＳ８３以降の処理を実行し、手持ち閲覧されている電子ペーパーユニット１００´はなく、かつ机上閲覧されている電子ペーパーユニット１００´もないと判定された場合には（ステップＳ８２´；Ｎｏ）、第１実施形態と同様に、データ送信処理を行わずそのまま処理を終了する。
【００９３】
これにより、電子ペーパーユニット１００´を載置部材４００に載置した場合であっても、ユーザは、制御装置３００´に表示指示情報を入力するだけで、その電子ペーパーユニット１００´に未読の電子メールを表示させることが可能となる。
【００９４】
（３）変形例
以上、本発明の実施形態について説明したが、本発明は上述した実施形態に限定されることなく、他の様々な形態で実施可能である。以下にその一例を示す。
（３−１）
上述した実施形態では、ワイヤレスセンサ２００からの電波信号を受信して各種の処理を実行する表示媒体制御装置としてパーソナルコンピュータ等の制御装置３００を用いたが、表示媒体制御装置をパーソナルコンピュータに限定するものではなく、例えばプリンタや複写機、或いはこれらの複数の機能を兼ね備えた複写機等であってもよい。
【００９５】
また、上述した実施形態では、電子ペーパーユニット１００の閲覧状態の検知結果に基づく処理として、未読メール出力処理について説明したが、電子ペーパーユニット１００に表示させる電子データは、未読の電子メールに限らず、例えば電子メールや文書ファイル、画像データなど、どのような形式の電子データであってもよい。
また、閲覧状態の検知結果に基づく制御処理は、電子ペーパーユニット１００に電子データを表示させる処理に限定されるものではなく、例えば電子データの消去や閲覧履歴の管理など、さまざまな制御処理を行うことが可能である。閲覧状態の検知結果に基づく制御処理として、その一例を以下に説明する。
【００９６】
（３−１−１）電子データの消去
例えば、閲覧が許可されていない者がその電子ペーパーユニット１００を把持したり、机上閲覧しようとした場合に、電子ペーパーユニット１００に表示されているデータを消去するようにしてもよい。この場合、例えば電子ペーパーユニット１００を識別するシートＩＤと閲覧許可者のユーザＩＤとを対応付けてテーブルに記憶させておき、その対応関係を参照してそのユーザに閲覧が許可されているか否かを判定するようにすればよい。
また、画像形成がされているにも関わらず閲覧されていない電子ペーパーユニット１００について、一定時間経過後にその表示内容を消去するようにしてもよい。
閲覧状況に応じて電子ペーパーユニット１００に表示されている表示データを消去することによって、情報の漏洩を防止する効果が期待できる。
【００９７】
（３−１−２）閲覧履歴情報管理
また、画像形成が行われているにも関わらず閲覧されていない電子ペーパーユニット１００を集計するようにしてもよい。具体的には、電子ペーパーユニット１００を識別するシートＩＤと閲覧されたか否かの判定結果を示す判定結果情報とを対応付けて記憶部に記憶するようにすればよい。これにより、どの電子ペーパーユニット１００が閲覧されたかを管理することができる。なお、上述した判定結果を管理する管理サーバを別途設け、判定結果をその管理サーバに送信するようにし、管理サーバがそれらの判定結果を管理するようにしてもよい。
また、閲覧されていない電子ペーパーユニット１００がある場合は、その電子ペーパーユニット１００の所有者にメール等で通知するようにしてもよい。具体的には、電子ペーパーユニット１００を識別するシートＩＤと、その電子ペーパーユニット１００の所有者のメールアドレス等を対応付けて記憶しておき、必要に応じて電子ペーパーユニット１００のシートＩＤと対応するメールアドレスを読み出して、その電子ペーパー１００の所有者に電子メール等で通知するようにすれば、ユーザはどの電子ペーパーユニット１００に表示させたドキュメントが未読であるかを把握することができる。
【００９８】
また、電子ペーパーユニット１００に表示されている電子データの所有権を、閲覧履歴に応じて管理するようにしてもよい。例えば、電子ペーパーユニット１００の閲覧履歴がユーザＡからユーザＢに替わった時点で、ユーザＡからユーザＢに電子ペーパーユニット１００が手渡され、表示されている電子データの使用権がユーザＡからユーザＢに移ったものと判断するようにすればよい。また、その電子データをユーザＢの指定フォルダに格納するようにしてもよい。
【００９９】
（３−１−３）
また、制御装置３００がプリンタや複写機等の画像形成装置である場合は、手持ちされた電子ペーパーユニット１００と画像形成装置との距離が一定以下になると、表示されている電子データの印刷出力等の指示が入力されることを予測し、プリンタや複写機の起動や電子データの変換を行い、指示入力待ち状態にするようにしてもよい。具体的には、画像形成装置は、電子ペーパーユニット１００のワイヤレスセンサ２００の電波信号の電波強度に基づいて、その電子ペーパーユニット１００までの距離を特定する。そして、その電子ペーパー１００までの距離が所定値以内であり、かつその電子ペーパーが把持されていると判断された場合に、画像形成装置は装置の起動を行い、電子ペーパーユニット１００に表示されている電子データを受信し、受信した電子データの変換処理を行う。このようにすれば、電子ペーパーユニット１００の所有者は、電子データの変換処理等が終了するのを待機する必要なく、好適に画像形成を行うことが可能となる。
なお、手持ちされた電子ペーパーユニットと制御装置との距離が一定以下になった場合に制御装置が実行する処理は、上述した装置の起動や電子データの変換処理に限定されるものではなく、例えば電子データを液晶ディスプレイに表示する表示処理等、他の様々な処理を制御装置に実行させることが可能である。
【０１００】
また、閲覧状態で電子ペーパーユニット１００の表示部１１１のある領域をなぞる等の方法で指定すると、その領域の電子データを制御装置３００に送信し、制御装置３００でその電子データを保持するようにしてもよい。具体的には、電子ペーパーユニット１００に設けられているワイヤレスセンサ２００で測定された圧力とその経時変化に基づいて、電子ペーパーユニット１００がなぞられた軌跡を検出するようにし、なぞられた軌跡の内側（領域）に表示されている表示内容に対応する電子データを、例えばクリップボード等に記憶するようにする。この電子データをクリップボードに貼り付ける事で容易に電子ペーパー上に表示された電子データを活用しやすくなる。
【０１０１】
（３−２）
上述した実施形態では、電子ペーパーユニットに圧力センサを設け、圧力の分布によって電子ペーパーユニットが把持されているか否かを判定するようにしたが、電子ペーパーユニットに設けるワイヤレスセンサは、圧力センサに限定されるものではなく、例えば温度センサや加速度センサなど、電子ペーパーユニットが把持されているか否かを好適に判断できるものであればどのようなワイヤレスセンサであってもよい。
【０１０２】
また、上述した実施形態では、電子ペーパーユニットが把持されているか否かを判定する方法として、電子ペーパーユニットから検知される圧力データと、圧力照合データとが一致するか否かによって判定するようにしたが、電子ペーパーユニットが把持されているか否かを判定する方法は、これに限定されるものではなく、把持されているか否かを好適に判定できる方法であればどのような方法でもよい。例えば圧力データと圧力照合データとが完全に一致していなくても、一致率が所定値以上の場合に把持されていると判定するようにしてもよい。また、例えば圧力照合データを用いずに、電子ペーパーユニットの表面をいくつかの区画に区切り、それぞれの区画において圧力を検知した圧力センサの個数をカウントし、その個数に基づいて判定するようにしてもよい。
また、重ね順位を判定する方法は、上述した実施形態で用いた方法に限定されるものではなく、例えばワイヤレスセンサの電波信号の強度から重ね順位を判定するようにしてもよい。
【０１０３】
また、上述した第２の実施形態では、位置センサ２００Ｃの電波信号の強度によって電子ペーパーユニットまたはユーザの位置を特定するようにしたが、位置の特定方法はこれに限定されるものではなく、好適に位置を特定できるものであればどのようなものであってもよい。例えば、ＧＰＳ（Global Positioning System）等の測位システムを用いて位置を特定するようにしてもよい。
また、センサ通信装置が電波信号を位置情報に変換して制御装置に送信するようにしたが、受信した電波信号をそのまま制御装置に送信するようにし、制御装置が電波信号から位置情報を算出するようにしてもよい。
【０１０４】
（３−３）
上述した実施形態では、実施形態に係るシステムが複数のユーザによって使用される場合については説明していないが、複数のユーザによって使用されることももちろん可能である。この場合は、例えばユーザを識別するユーザＩＤと、電子ペーパーユニットを識別するシートＩＤとを、対応付けて記憶させておき、その対応関係を参照することによって各種の制御処理を行うようにすればよい。この場合は、第２実施形態で用いたワイヤレスの位置センサ２００Ｃを各々のユーザに付与してユーザを識別するようにすればよい。また、ユーザを識別する方法は、ワイヤレスセンサではなく例えばＲＦＩＤ（Radio Frequency Identification）等を用いて識別するようにしてもよい。
【０１０５】
（３−４）
上述した実施形態では、センサシート１２０に圧力センサ２０００Ｐと光センサ２００Ｌとが交互に配置されているようにしたが、ワイヤレスセンサの配置方法はこれに限定されるものではなく、好適に圧力や光量を検知できる配置であればどのようなものであってもよい。例えば、光センサが設けられたセンサシートと圧力センサが設けられたセンサシートとを２枚積層させて用いるようにしてもよい。また、２種類のワイヤレスセンサを用いずに、どちらか１種類のワイヤレスセンサのみを用いることももちろん可能である。
【０１０６】
（３−５）
また、上述した実施形態では、トナー等の着色粒子を帯電させて封入し、電圧を印加することによって着色粒子を移動させて画像を形成する電子ペーパーを用いたが、電子ペーパーをこれに限定するものではなく、電気的な手段でデータの表示や消去が可能なものであればどのようなものであってもよい。例えば、光を照射することによって画像を記録する電子ペーパーを用いるようにしてもよい。
【０１０７】
（３−６）
また、上記実施形態では、ワイヤレスセンサの周波数を各々異ならせ、その周波数を判別することによって複数のワイヤレスセンサを一意に識別するようにしたが、ワイヤレスセンサの識別方法はこれに限定されるものではなく、ワイヤレスセンサの応答信号を識別できる方法であればどのような方法であってもよい。
【０１０８】
（４）ワイヤレスセンサ２００の構造と動作
最後に、本実施形態で用いたワイヤレスセンサ２００について、その構成と動作の一例を以下に説明する。なお、ワイヤレスセンサ２００の構成をこれに限定するものではなく、電子ペーパーの周囲の環境状態（圧力、光量等）を好適に検知できるものであればどのような構成であってもよい。
【０１０９】
（４−１）ワイヤレスセンサ２００の構成
まず、本実施形態で用いるワイヤレスセンサ２００の構成について、図２１を参照しながら説明する。
図２１は、本発明の実施の形態に係るワイヤレスセンサ２００の構成を示す図である。このワイヤレスセンサ２００は、基台となる基板１と、該基板１上に酸化膜１Ａを介して形成され、弾性表面波（ＳＡＷ：Surface Acoustic Wave）が伝播する誘電体薄膜２と、誘電体薄膜２上に形成され、電気信号から弾性表面波又は弾性表面波から電気信号に変換する変換部としての一対の櫛型電極（ＩＤＴ：Inter-digital Transducer）３Ａ，３Ｂと、この一対の櫛型電極３Ａ，３Ｂの一方にインピーダンスマッチング部５Ａ，５Ｂを介して接続され、外部の送・受信機との間で電波信号の授受を行う送受信部としてのアンテナ４Ａ，４Ｂと、一対の櫛型電極３Ａ，３Ｂの他方に接続されたグランド６Ａ，６Ｂと、基板１の裏面に形成され、グランド６Ａ，６Ｂにスルーホール（図示しない）を介して接続されたグランド電極７とを具備して構成されている。
【０１１０】
このワイヤレスセンサ２００における弾性表面波の周波数は、櫛型電極３Ａ，３Ｂおよびインピーダンスマッチング部５Ａ，５Ｂの形状で設定される。
基板1の材料としては、Ｓｉ，Ｇｅ，ダイヤモンド等の単体半導体、ガラス、ＡｌＡｓ，ＡｌＳｂ，ＡＩＰ，ＧａＡｓ，ＧａＳｂ，ＩｎＰ，ＩｎＡｓ，ＩｎＳｂ，ＡｌＧａＰ，ＡｌＬｎＰ，ＡｌＧａＡｓ，ＡｌＩｎＡｓ，ＡｌＡｓＳｂ，ＧａＩｎＡｓ，ＧａＩｎＳｂ，ＧａＡｓＳｂ，ＩｎＡｓＳｂ等のIII-V系の化合物半導体、ＺｎＳ，ＺｎＳｅ，ＺｎＴｅ，ＣａＳｅ，ＣｄＴｅ，ＨｇＳｅ，ＨｇＴｅ，ＣｄＳ等のII−VI系の化合物半導体、導電性或いは半導電性の単結晶基板としてはＮｂ，Ｌａ等をドープしたＳｒＴｉＯ３，ＡｌをドープしたＺｎＯ，Ｉｎ２Ｏ３，ＲｕＯ２，ＢａＰｂＯ３，ＳｒＲｕＯ３，ＹＢａ２Ｃｕ２Ｏ７−Ｘ，ＳｒＶＯ３，ＬａＮｉＯ３，Ｌａ０．５Ｓｒ０．５ＣｏＯ３，ＺｎＧａ２Ｏ４，ＣｄＧａ２Ｏ４，ＭｇＴｉＯ４，ＭｇＴｉ２Ｏ４等の酸化物、またはＰｄ，Ｐｔ，Ａｌ，Ａｕ，Ａｇ等の金属等が挙げられるが、既存の半導体プロセスとの適合性やコスト面から、Ｓｉ，ＧａＡｓ、ガラス等の材料を用いることが好ましい。
【０１１１】
誘電体薄膜２の材料としては、ＳｉＯ２，ＳｒＴｉＯ３，ＢａＴｉＯ３，ＢａＺｒＯ３，ＬａＡｌＯ３，ＺｒＯ２，Ｙ２Ｏ３８％−ＺｒＯ２，ＭｇＯ，ＭｇＡｌ２Ｏ４，ＬｉＮｂＯ３，ＬｉＴａＯ３，Ａｌ２Ｏ３，ＺｎＯ等の酸化物、ＡＢＯ３型のペロブスカイト型としてＢａＴｉＯ３，ＰｂＴｉＯ３，Ｐｂ１−ＸＬａＸ（ＺｒｙＴｉ１−ｙ）１−Ｘ／４Ｏ３（ｘ，ｙの値によりＰＺＴ，ＰＬＴ，ＰＬＺＴ），Ｐｂ（Ｍｇ１／３Ｎｂ２／３）Ｏ３，ＫＮｂＯ３等の正方系、斜方系或いは擬立方晶系材料、擬イルメナイト構造体としてＬｉＮｂＯ３，ＬｉＴａＯ３等に代表される強誘電体等、またはタングステンブロンズ型として、ＳｒＸＢａ１−ＸＮｂ２Ｏ６，ＰｂＸＢａ1-ＸＮｂ２Ｏ６等が挙げられる。この他に、Ｂｉ４Ｔｉ３Ｏ１２，Ｐｂ２ＫＮｂ５Ｏ１５，Ｋ３Ｌｉ２Ｎｂ５Ｏ１５、さらに以上列挙した強誘電体の置換誘電体等から選択される。さらに、鉛を含むＡＢＯ３型のペロブスカイト型酸化物が好適に用いられる。特に、これらの材料のうちＬｉＮｂＯ３，ＬｉＴａＯ３，ＺｎＯ等の材料は、弾性表面波の表面速度、圧電定数等の変化が顕著でより好ましい。誘電体薄膜２の膜厚は、目的に応じて適宜選択されるが、通常は０．１μｍから１０μｍの間に設定される。
【０１１２】
櫛型電極３Ａ，３Ｂ、アンテナ４Ａ，４Ｂ、インピーダンスマッチング部５Ａ，５Ｂおよびグランド６Ａ，６Ｂは、導電パターンにより一体的に形成される。この導電パターンの材料としては、Ｔｉ，Ｃｒ，Ｃｕ，Ｗ，Ｎｉ，Ｔａ，Ｇａ，Ｉｎ，Ａｌ，Ｐｄ，Ｐｔ，Ａｕ，Ａｇ等の金属、またはＴｉ−Ａｌ，Ａｌ−Ｃｕ，Ｔｉ−Ｎ，Ｎｉ−Ｃｒ等の合金を、単層もしくは２層以上の多層構造に積層することが好ましく、特に金属としてはＡｕ，Ｔｉ，Ｗ，Ａｌ，Ｃｕが好ましい。また、この金属層の膜厚は、１ｎｍ以上１０μｍ未満とすることが好ましい。
【０１１３】
（４−２）ワイヤレスセンサ２００の基本動作
次に、ワイヤレスセンサ２００の基本的な動作について、図２１を参照しながら説明する。なお、図２１（ａ）に示すワイヤレスセンサ２００の平面図において、便宜上、信号が図面向かって左側から右側に移動するものとするが、実際には信号の流れには方向性がある訳ではない。
【０１１４】
このワイヤレスセンサ２００は、外部の発信機との間、受信機との間で電波信号の授受を行う。発信機から送信される電波信号はアンテナ４Ａで受信され、この信号により櫛型電極３Ａが誘電体薄膜２を励振して機械振動を発生させる。この機械振動は、誘電体薄膜２表面に弾性表面波を発生させる。この弾性表面波は、櫛型電極３Ａから櫛型電極３Ｂに向けて移動し、櫛型電極３Ｂに到達した弾性表面波は、櫛型電極３Ｂで電気信号に変換されてアンテナ４Ｂを経由して送信される。受信機は、ワイヤレスセンサ２００からの電波信号を受信する。
【０１１５】
誘電体薄膜２の表面に発生する弾性表面波は、この誘電体薄膜２に加わった物理量（圧力、光量等）の変化によって、振幅、位相差、周波数等の属性が変化する。この弾性表面波の変化を電気信号として受信機で受信し、この受信機において、電気信号における属性の変化を解析する。これにより、受信機側では、ワイヤレスセンサ２００に加わる物理量を計測することが可能となる。
【０１１６】
（４−３）複数のワイヤレスセンサ２００への対応
以上が、１つの周波数に対応したワイヤレスセンサの説明であったが、次に複数の周波数に対応できるワイヤレスセンサについて説明する。
図２２に示すように、形状の異なる櫛型電極３Ａ−１，３Ｂ−１…３Ａ−４，３Ｂ−４が形成されたワイヤレスセンサ２００´においては、外部から送信される電波の周波数により複数の周波数に対応した弾性表面波が誘電体薄膜２上に発生する。
【０１１７】
例えば、櫛型電極３Ａ−１，３Ｂ−１およびインピーダンスマッチング部５Ａ，５Ｂで設定される弾性表面波の周波数をｆ１、櫛型電極３Ａ−２，３Ｂ−２およびインピーダンスマッチング部５Ａ，５Ｂで設定される弾性表面波の周波数をｆ２、櫛型電極３Ａ−３，３Ｂ−３およびインピーダンスマッチング部５Ａ，５Ｂで設定される弾性表面波の周波数をｆ３、櫛型電極３Ａ−４，３Ｂ−４およびインピーダンスマッチング部５Ａ，５Ｂで設定される弾性表面波の周波数をｆ４とする。
なお、図２２では、グランドおよびグランド電極の図示は省略して描いている。
【０１１８】
ここで、外部の発信機から周波数ｆ１の電波信号が送信されると、櫛型電極３Ａでは、この周波数ｆ１に対応した電極３Ａ−１が機械振動を発生し、この機械振動によって誘電体薄膜２上に弾性表面波が発生する。この弾性表面波が電極３Ｂ−１に伝達される。電極３Ｂ−１に伝達される弾性表面波は、物理量の影響を受けてその属性が変化する。一方、他の櫛型電極３Ａ−２，３Ｂ−２〜３Ａ−４，３Ｂ−４においては、周波数ｆ１に同調していないので、弾性表面波の発生やこれに基づく電波信号の送信は行われない。即ち、これらの櫛型電極３Ａ−２，３Ｂ−２〜３Ａ−４，３Ｂ−４は、各々周波数ｆ２，ｆ３，ｆ４に同調するように設定されており、このため、周波数ｆ２の電波をワイヤレスセンサ２００´に送信した場合には、櫛型電極３Ａ−２→３Ｂ−２という経路で弾性表面波が伝達され、この弾性表面波に対応した電波信号がアンテナ４Ｂを経由して出力される。
【０１１９】
同様に、周波数ｆ３の電波信号をワイヤレスセンサ２００´に送信した場合には、櫛型電極３Ａ−３→３Ｂ−３という経路で弾性表面波が伝達されてアンテナ４Ｂを経由して出力され、周波数ｆ４の電波信号をワイヤレスセンサ２００´に送信した場合には、櫛型電極３Ａ−４→３Ｂ−４という経路で弾性表面波が伝達されてアンテナ４Ｂを経由して出力される。
従って、周波数ｆ１，ｆ２，ｆ３，ｆ４の順でワイヤレスセンサ２００´に電波を送信すれば、これらに対応する応答信号を得ることができる。またこの場合、櫛型電極３Ｂ−１，３Ｂ−２，３Ｂ−３，３Ｂ−４（出力側）から出力される信号の変化帯域（物理量による変化の幅）を重複しないように設定しておけば、周波数ｆ１〜ｆ４を同時にワイヤレスセンサ２００´に出力しても、その応答信号として出力される４つの信号を分離して解析することができる。
【０１２０】
ここで、上述した本発明の実施形態で用いられるワイヤレスセンサ２００の具体的な動作について説明する。電子ペーパーユニット１００に設けられた４つのワイヤレスセンサ２００を、ワイヤレスセンサ２００−１，２００−２，２００−３，２００−４とすると、具体的には、ワイヤレスセンサ２００は、弾性表面波の周波数が櫛型電極３Ａ，３Ｂの形状で設定されるため、ワイヤレスセンサ２００−１には、図２２に示したワイヤレスセンサ２００´の櫛型電極３Ａ−１，３Ｂ−１が形成され、ワイヤレスセンサ２００−２にはワイヤレスセンサ２００´の櫛型電極３Ａ−２，３Ｂ−２が形成され、ワイヤレスセンサ２００−３にはワイヤレスセンサ２００´の櫛型電極３Ａ−３，３Ｂ−３が形成され、ワイヤレスセンサ２００−４にはワイヤレスセンサ２００´の櫛型電極３Ａ−４，３Ｂ−４が形成されるものとする。これにより、ワイヤレスセンサ２００−１〜２００−４の誘電体薄膜に発生する弾性表面波の周波数が、ワイヤレスセンサ２００−１がｆ１、ワイヤレスセンサ２００−２がｆ２、ワイヤレスセンサ２００−３がｆ３、ワイヤレスセンサ２００−４がｆ４となる。即ち、受信する電波信号の周波数ｆ１〜ｆ４によってワイヤレスセンサ２００−１〜２００−４が特定されることになる。
【０１２１】
そして、周波数ｆ１の電波信号ではワイヤレスセンサ２００−１による測定が、周波数ｆ２の電波信号ではワイヤレスセンサ２００−２による測定が、周波数ｆ３の電波信号ではワイヤレスセンサ２００−３による測定が、周波数ｆ４の電波信号ではワイヤレスセンサ２００−４による測定が可能となる。
【０１２２】
ワイヤレスセンサ２００−１，２００−２，２００−３および２００−４（以下、総称としてワイヤレスセンサ２００として使用する）は、制御装置３００のセンサ通信部３３０からの電波信号を受けて個々の櫛型電極で設定された周波数の弾性表面波を誘電体薄膜２上に発生させ、物理量に応じて弾性表面波の周波数を変化させてセンサ通信部３３０に向けて物理量の変化に対応した周波数の信号を送信する。そして、制御装置３００の制御部３１０は、センサ通信部３３０を介して受信した電波信号を解析して個々のセンサが設置された位置の周囲の物理量を得る。
【０１２３】
前述した如く、ワイヤレスセンサ２００は、弾性表面波の周波数が櫛型電極３Ａ，３Ｂの形状で設定される。この動作例に用いられるワイヤレスセンサ２００−１には、図２２に示したワイヤレスセンサ２００´の櫛型電極３Ａ−１，３Ｂ−１が形成され、ワイヤレスセンサ２００−２にはワイヤレスセンサ２００´の櫛型電極３Ａ−２，３Ｂ−２が形成され、ワイヤレスセンサ２００−３にはワイヤレスセンサ２００´の櫛型電極３Ａ−３，３Ｂ−３が形成され、ワイヤレスセンサ２００−４にはワイヤレスセンサ２００´の櫛型電極３Ａ−４，３Ｂ−４が形成されている。これにより、ワイヤレスセンサ２００の誘電体薄膜に発生する弾性表面波の周波数が、ワイヤレスセンサ２００−１がｆ１、ワイヤレスセンサ２００−２がｆ２、ワイヤレスセンサ２００−３がｆ３、ワイヤレスセンサ２００−４がｆ４となる。即ち、ワイヤレスセンサ２００が受信する電波の周波数ｆ１〜ｆ４によってワイヤレスセンサ２００−１〜２００−４が特定されることになる。
【０１２４】
制御部３１０は、センサ通信部３３０を介して周波数ｆ１，ｆ２，ｆ３，ｆ４の矩形状波を合わせた電波信号を発信する。また、制御部３１０は、ワイヤレスセンサ２００から電波信号を受信すると、受信した電波信号をデジタル化し、デジタル化された情報に基づいて解析・演算を行う。
なお、ワイヤレスセンサに送信する波形は矩形状波に限らず、測定が行えるのであれば、三弦波や三角波等、任意の波形を用いてもよい。
【０１２５】
なお、この例では、各センサを識別する手段として、櫛型電極３Ａ，３Ｂの形状及び大きさを異ならせて、誘電体薄膜２に発生する表面弾性波の周波数を個々に設定し、この周波数で識別させるようにしている。センサを識別する手段はこれに限らず、櫛型電極の形状及び大きさを同形状にして櫛型電極間の離間距離を異ならせることによっても実現することができる。
具体的には、櫛型電極間の離間距離を異ならせることで、誘電体薄膜上に発生する表面弾性波の時間が異なる。この点に着目して発信機の信号発信から受信機での信号受信までの時間を計測することによりセンサの識別化をはかっても良い。
【０１２６】
（４−４）温度センサの構成
次に、ワイヤレスセンサを温度センサとして用いた場合について説明する。温度センサとして使用するためには、図２１に示した誘電体薄膜２の材料にＬｉＮｂＯ３を使用する。このＬｉＮｂＯ３の結晶は、弾性表面波の伝搬速度が温度変化に対して敏感に変化する材質でその温度係数は約７５×１０−６／℃となる。この温度における伝搬速度の変化は、弾性表面波の周波数を変化させることになる。例えば、実験においては、温度が約１００℃変化することにより、弾性表面波の中心周波数ｆ０に対して約０．２〜０．３％程度周波数が変化する結果を得ている。
【０１２７】
（４−５）圧力センサの構成
次に、ワイヤレスセンサを圧力センサとして用いた場合について説明する。図２３は圧力センサ２００Ｐの構成を示す図である。この圧力センサ２００Ｐは、基台となるＳｉを材料とする基板２１と、該基板２１上に酸化膜２１Ａを介して形成され、弾性表面波が伝播する誘電体薄膜２２と、誘電体薄膜２２上に形成され、電気信号から弾性表面波又は弾性表面波から電気信号に変換する変換部としての一対の櫛型電極２３Ａ，２３Ｂと、この一対の櫛型電極２３Ａ，２３Ｂの一方にインピーダンスマッチング部２５Ａ，２５Ｂを介して接続され、外部の送・受信機との間で電波信号の授受を行う送受信部としてのアンテナ２４Ａ，２４Ｂと、一対の櫛型電極２３Ａ，２３Ｂの他方に接続されたグランド２６Ａ，２６Ｂと、基板２１の裏面に形成され、グランド２６Ａ，２６Ｂにスルーホール（図示しない）を介して接続されたグランド電極２７と、受圧部２８とを具備している。この受圧部２８は、起端が前記誘電体薄膜２２に当接し先端が圧力センサ２００Ｐから若干突出するように設けられる。この受圧部２８の先端に外部から圧力が加わることによって誘電体薄膜２２が歪んで弾性表面波の周波数が変化する。
【０１２８】
また、基板２１の裏面側には異方性エッチングにより５４．７５度のテーパ面をなして凹部が形成されており、この底の部分が脆弱部となって外部からの圧力に反応するダイヤフラム２１Ｂとなる。図面では、酸化膜２１Ａは便宜上厚く描写しているが、実際には基板２１と誘電体薄膜２２との間での絶縁を確保できる厚さであればよい。
【０１２９】
この圧力センサ２００Ｐの場合は、図２に示した誘電体薄膜２２の材料にＬｉＴａＯ３を使用する。このＬｉＴａＯ３の結晶は、弾性表面波の伝搬速度が温度変化に対して変化が少ない材質で、その温度係数は約１８．０×１０−６／℃となる。ＬｉＮｂＯ３の結晶に対して温度係数は約１／４と小さく１０℃の温度変化に対して弾性表面波の変化率は０．００５％程度となる。
【０１３０】
ダイヤフラム２１Ｂ上には酸化膜２１Ａを介して誘電体薄膜２２が配置されるため、このダイヤフラム２１Ｂに外部から例えば2barの圧力が加わると、ダイヤフラム２１Ｂが変形し、櫛型電極２３Ａ，２３Ｂの電極間の幅を変えると共に、弾性表面波の速度が変化して中心周波数ｆ０に対して周波数を０．２％程度変化させる。また、測定対象物の温度変化が著しい場合、温度センサとの併用で補正することも可能となる。
以上のように、この圧力センサ２００Ｐは、中心周波数ｆ０に対して約０．２％程度周波数が変化することが検知されている。
【０１３１】
また、櫛型電極２３Ａ，２３Ｂの形状及び大きさは、外部の発信機から送信される電波の中心周波数ｆ０の機械振動を発生させるため、受信機により受信した電波の強度は、周波数の変化によりシフトされることになる。このワイヤレスセンサでは、圧力変化に応じて受信機における受信信号の強度が線形的に変化するワイヤレスセンサを実現する。
なお、この圧力センサ２００Ｐでは、基板２１に凹部を形成して底部をダイヤフラム２１Ｂとしているが、酸化膜２１Ａのみでダイヤフラムとしてもよく、外部から加わる圧力が誘電体薄膜２２に直接的或いは間接的に作用する形状であればよい。
【０１３２】
また、この誘電体薄膜２２は、櫛型電極２３における電気機械結合係数／圧電係数、或いはアンテナ２４の誘電損失等の観点から、エピタキシャルまたは単一配向性を有することが好ましい。また、誘電体薄膜２２上にＧａＡＳ等のIII−V族半導体或いはダイヤモンド等の炭素を含有する薄膜を形成してもよい。これにより、弾性表面波の表面速度、結合係数、圧電定数等が向上できる。
【０１３３】
（４−６）加速度センサの構成
次に、ワイヤレスセンサを加速度センサとして用いた場合について説明する。図２４は加速度センサ３０の構成を示している。図２４に示す加速度センサ３０の構成が、図２１に示したワイヤレスセンサ２００の構成と異なる点は、矩形状の基板１の一方に、他方を浮かせる台座３１が設けられている点である。そのため、図２１に示したワイヤレスセンサ２００と同様の構成要素については、同じ符号を付与してその説明を省略する。
【０１３４】
基板１の一方に台座３１が設けられることにより、加速度センサ３０は片持ち支持の構造となり、図２４（ｂ）に示すように力Ｆ（Ｆ＝ｍ×α（ｍ：質量、α：加速度））が基板１の他方に加わると、この加速度に対応して基板１に撓みが発生し、この撓みを誘電体薄膜２で測定するようになる、所謂歪みゲージとして構成される。
加速度センサとして使用するためには、図２４に示した誘電体薄膜２の材料にＬｉＴａＯ３を使用する。
【０１３５】
加速度（例えば、980ｍ／ｓ２）が基板１の他方に加わると、この加速度に対応して基板１に撓みが生じ、この撓みが誘電体薄膜２に伝わり、櫛型電極３Ａ，３Ｂの電極間の幅を変えると共に、ＳＡＷの速度が変化して中心周波数を対して周波数を０．１％程度変化させる。また、測定対象物の温度変化が著しい場合、温度センサとの併用で補正することも可能となる。
以上のように、加速度センサ３０は、中心周波数ｆ０に対して約０．１％程度周波数が変化することが検知されている。
【０１３６】
（４−７）光センサの構成
次に、ワイヤレスセンサを光センサとして用いた場合について説明する。
図２５は光センサ２００Ｌの構成を示している。図２５に示す光センサ２００Ｌの構成が、図２１に示したワイヤレスセンサ２００の構成と異なる点は、受光素子（例えば、フォトダイオード等）４８とインピーダンス変換器４９とが設けられている点である。光センサ２００Ｌは、櫛型電極３Ｂの一方に、インピーダンス変換器４９及び受光素子４８が設けられている。この光センサ２００Ｌは、誘電体薄膜２の材料にＬｉＴａＯ３を使用する。
【０１３７】
ある照度（例えば、1000lx）を持った光が受光素子４８に加わると、この光量に対応して受光素子４８のインピーダンスが変化し、このインピーダンスの変化は櫛型電極３Ｂのインピーダンスとマッチングさせるインピーダンス変換器４９を通して櫛型電極３Ｂに伝わる。ここで、櫛型電極３Ｂにおけるインピーダンス変化は、入力側の櫛型電極３Ａから伝搬してきた弾性表面波を櫛型電極３Ｂで反射させる際の反射強度を変化させる。櫛型電極３Ａは、この反射弾性表面波を再び受信し電磁波として外部に送信する。このように構成された光センサ２００Ｌにおいては、標準電界強度に対して約０．１％程度変化する。
【図面の簡単な説明】
【０１３８】
【図１】本発明の第１実施形態に係る電子ペーパーユニット１００の構成を示す図である。
【図２】同実施形態で用いるセンサシート１２０の構成を示す図である。
【図３】同実施形態である制御装置３００の構成を示すブロック図である。
【図４】同実施形態の圧力照合データテーブルＴＢＬ１のデータ構成を示す図である。
【図５】電子ペーパーユニット１００が把持されている状態で検知される圧力の分布の一例を示す図である。
【図６】同実施形態の光量照合データテーブルＴＢＬ２のデータ構成を示す図である。
【図７】電子ペーパーユニット１００が把持されている状態で検知される光量の分布の一例を示す図である。
【図８】同実施形態の測定結果管理テーブルＴＢＬ３のデータ構成を示す図である。
【図９】同実施形態の制御部３１０が行う一連の処理を示すフローチャートである。
【図１０】同実施形態の制御部３１０が行う物理量算出処理を示すフローチャートである。
【図１１】同実施形態の制御部３１０が行う手持ち判定処理を示すフローチャートである。
【図１２】同実施形態の制御部３１０が行う重ね順位判定処理を示すフローチャートである。
【図１３】４枚の電子ペーパーユニット１００ａ，１００ｂ，１００ｃ，１００ｄについて、それぞれの圧力センサ２００Ｐで検知される圧力を３段階で示した図である。
【図１４】同実施形態の制御部３１０が行う未読メール出力処理を示すフローチャートである。
【図１５】本発明の第２施形態に係るシステムの全体構成を示す図である。
【図１６】同実施形態の距離管理テーブルのデータ構成を示す図である。
【図１７】同実施形態のシステムの全体構成を示すブロック図である。
【図１８】同実施形態の制御部３１０が行う一連の処理を示すフローチャートである。
【図１９】同実施形態の制御部３１０が行う机上閲覧判定処理を示すフローチャートである。
【図２０】同実施形態の制御部３１０が行う未読メール出力処理を示すフローチャートである。
【図２１】ワイヤレスセンサ２００の構造を示す図である。
【図２２】複数の周波数に対応したワイヤレスセンサ２００の構造を示す図である。
【図２３】圧力センサ２００Ｐの構造を示す図である。
【図２４】加速度センサの構造を示す図である。
【図２５】光センサ２００Ｌの構造を示す図である。
【符号の説明】
【０１３９】
１００…電子ペーパーユニット、１１０…電子ペーパー、１２０…センサシート、１１１…表示部、１１２…制御部、１１３，３４０…無線ＬＡＮ通信部、２００…ワイヤレスセンサ、２００Ｐ…圧力センサ、２００Ｌ…光センサ、３００…制御装置、３１０…制御部、３２０…記憶部、３３０…センサ通信部、３５０…ユーザインタフェース部、４００…載置部材、５００…センサ通信装置、１…基板、２，２２…誘電体薄膜、３Ａ，３Ｂ，２３Ａ，２３Ｂ…櫛型電極、５Ａ，５Ｂ，２５Ａ，２５Ｂ…インピーダンスマッチング部、４Ａ，４Ｂ，２４Ａ，２４Ｂ…アンテナ、６Ａ，６Ｂ，２６Ａ，２６Ｂ…グランド、７…グランド電極、２８…受圧部。
【図１】
2006268527.tif 000003
【図２】
2006268527.tif 000004
【図３】
2006268527.tif 000005
【図４】
2006268527.tif 000006
【図５】
2006268527.tif 000007
【図６】
2006268527.tif 000008
【図７】
2006268527.tif 000009
【図８】
2006268527.tif 000010
【図９】
2006268527.tif 000011
【図１０】
2006268527.tif 000012
【図１１】
2006268527.tif 000013
【図１２】
2006268527.tif 000014
【図１３】
2006268527.tif 000015
【図１４】
2006268527.tif 000016
【図１５】
2006268527.tif 000017
【図１６】
2006268527.tif 000018
【図１７】
2006268527.tif 000019
【図１８】
2006268527.tif 000020
【図１９】
2006268527.tif 000021
【図２０】
2006268527.tif 000022
【図２１】
2006268527.tif 000023
【図２２】
2006268527.tif 000024
【図２３】
2006268527.tif 000025
【図２４】
2006268527.tif 000026
【図２５】
2006268527.tif 000027